(57)【特許請求の範囲】
【請求項１】
装置であって、第１の無線通信局（ＳＴＡ）に、
許可フレームの割り当てデュレーションフィールドの値を設定させ、前記許可フレームはデュレーションフィールドを更に含み、
前記割り当てデュレーションフィールドの値が０から３２７６７の範囲の値に設定されるとき、前記割り当てデュレーションフィールドの前記値と前記デュレーションフィールドの値との和で示される時点から、前記第１のＳＴＡが第２のＳＴＡと通信するために割り当てられた時間期間が開始し、
前記割り当てデュレーションフィールドの値が３２７６８に設定されるとき、前記割り当てデュレーションフィールドの前記値は、前記第１のＳＴＡが、前記許可フレームの終わりに開始する、送信機会（ＴＸＯＰ）の残り時間を、前記第２のＳＴＡに譲ることを示し、
前記許可フレームを前記第２のＳＴＡへ送信させ、前記許可フレームは、デュレーションフィールドと動的割り当て情報（Ｉｎｆｏ）フィールドを含み、前記動的割り当てＩｎｆｏフィールドは前記割り当てデュレーションフィールドを含む、
ロジック及び回路を含む装置。
【請求項２】
前記割り当てデュレーションフィールドの値が０から３２７６７の範囲の値に設定されるとき、前記時間期間は現在の送信機会（ＴＸＯＰ）を超えて割り当てられる、請求項１に記載の装置。
【請求項３】
前記割り当てデュレーションフィールドの前記値と前記デュレーションフィールドの前記値との前記和は、前記第１のＳＴＡが前記第２のＳＴＡとの通信のために割り当てられた時間期間が開始する、前記許可フレームの送信終了（ＴＸＥＮＤ）ｉｎｄｉｃａｔｉｏｎプリミティブからの時間オフセットを示す、請求項１に記載の装置。
【請求項４】
前記第１のＳＴＡに、コンテンションベースアクセス期間（ＣＢＡＰ）を示すために、前記動的割り当てＩｎｆｏフィールド内の割り当てタイプフィールドを設定させる、よう構成される請求項１に記載の装置。
【請求項５】
前記第１のＳＴＡに、前記ＴＸＯＰの残り時間に基づき、前記デュレーションフィールドの値を設定させる、よう構成される請求項１に記載の装置。
【請求項６】
前記第１のＳＴＡに、前記デュレーションフィールドの値を、前記ＴＸＯＰの残り時間から前記許可フレームの送信時間及びショートインターフレームスペース（ＳＩＦＳ）時間を減算した結果に設定させる、よう構成される請求項１に記載の装置。
【請求項７】
前記第１のＳＴＡに、前記ＴＸＯＰの残り時間について、ＴＸＯＰ保持者の役割からＴＸＯＰ応答者の役割に切り換えさせる、よう構成される請求項１に記載の装置。
【請求項８】
前記第１のＳＴＡに、前記割り当てデュレーションフィールドの前記値を３２７６８に設定させ、サービス期間（ＳＰ）の残り時間を前記第２のＳＴＡに譲るために前記ＳＰの間に前記許可フレームを送信させる、よう構成される請求項１に記載の装置。
【請求項９】
前記第１のＳＴＡに、前記ＳＰを示すために、前記動的割り当てＩｎｆｏフィールド内の割り当てタイプフィールドを設定させる、よう構成される請求項８に記載の装置。
【請求項１０】
前記第１のＳＴＡに、前記ＳＰ内の残り時間に基づき、前記デュレーションフィールドの値を設定させる、よう構成される請求項８に記載の装置。
【請求項１１】
前記第１のＳＴＡに、前記デュレーションフィールドの値を、前記ＳＰの残り時間から前記許可フレームの送信時間及びショートインターフレームスペース（ＳＩＦＳ）時間を減算した結果に設定させる、よう構成される請求項８に記載の装置。
【請求項１２】
前記第１のＳＴＡに、前記ＳＰの残り時間について、送信元ＳＴＡの役割から宛先ＳＴＡの役割に切り換えさせる、よう構成される請求項８に記載の装置。
【請求項１３】
前記許可フレームは、前記第２のＳＴＡのアドレスを示すために受信アドレス（ＲＡ）フィールドを有する、請求項１乃至１２のいずれか一項に記載の装置。
【請求項１４】
媒体アクセス制御（ＭＡＣ）及び物理レイヤ（ＰＨＹ）を有する請求項１乃至１２のいずれか一項に記載の装置。
【請求項１５】
無線機を有する請求項１乃至１２のいずれか一項に記載の装置。
【請求項１６】
１又は複数のアンテナを有する請求項１乃至１２のいずれか一項に記載の装置。
【請求項１７】
命令を有するコンピュータプログラムであって、前記命令は、プロセッサにより実行されると、前記プロセッサに、第１の無線通信局（ＳＴＡ）に、
許可フレームの割り当てデュレーションフィールドの値を設定させ、前記許可フレームはデュレーションフィールドを更に含み、
前記割り当てデュレーションフィールドの値が０から３２７６７の範囲の値に設定されるとき、前記割り当てデュレーションフィールドの前記値と前記デュレーションフィールドの値との和で示される時点から、前記第１のＳＴＡが第２のＳＴＡと通信するための割り当てられた時間期間が開始し、
前記割り当てデュレーションフィールドの値が３２７６８に設定されるとき、前記割り当てデュレーションフィールドの前記値は、前記第１のＳＴＡが、前記許可フレームの終わりに開始する、送信機会（ＴＸＯＰ）の残り時間を、前記第２のＳＴＡに譲ることを示し、
前記許可フレームを前記第２のＳＴＡへ送信させ、前記許可フレームは、デュレーションフィールドと動的割り当て情報（Ｉｎｆｏ）フィールドを含み、前記動的割り当てＩｎｆｏフィールドは前記割り当てデュレーションフィールドを含む、
コンピュータプログラム。
【請求項１８】
前記割り当てデュレーションフィールドの値が０から３２７６７の範囲の値に設定されるとき、前記時間期間は現在の送信機会（ＴＸＯＰ）を超えて割り当てられる、請求項１７に記載のコンピュータプログラム。
【請求項１９】
前記命令は、実行されると、前記第１のＳＴＡに、前記デュレーションフィールドの値を、前記ＴＸＯＰの残り時間から前記許可フレームの送信時間及びショートインターフレームスペース（ＳＩＦＳ）時間を減算した結果に設定させる、請求項１７に記載のコンピュータプログラム。
【請求項２０】
前記命令は、実行されると、前記第1のＳＴＡに、前記割り当てデュレーションフィールドの前記値を３２７６８に設定させ、サービス期間（ＳＰ）の残り時間を前記第２のＳＴＡに譲るために前記ＳＰの間に前記許可フレームを送信させる、請求項１７に記載のコンピュータプログラム。
【請求項２１】
請求項１７乃至１９のいずれか一項に記載のコンピュータプログラムを記憶するコンピュータ可読記憶媒体。
【発明の詳細な説明】
【技術分野】
【０００１】
本明細書に説明される実施形態は、概して、許可フレームを用いた動的割り当てに関する。
【背景技術】
【０００２】
ミリメートル波バンドにおける無線通信ネットワークは、無線通信デバイスのユーザに高速データアクセスを提供することができる。
【０００３】
無線通信局は、許可フレームを通信することができる。許可フレームは、デュレーションフィールド及び割り当てられたデュレーションを、例えばＩＥＥＥ８０２．１１ａｄ−２０１２（“IEEE  P802.11ad-2012，IEEE  Standard  for  Information  Technology  -  Telecommunications  and  Information  Exchange  Between  Systems  -  Local  and  Metropolitan  Area  Networks  -  Specific  Requirements  -  Part  11：Wireless  LAN  Medium  Access  Control  (MAC)  and  Physical  Layer  (PHY)  Specifications  -  Amendment  3：Enhancements  for  Very  High  Throughput  in  the  60GHz  Band”，2012年12月28日”）に従って含むことができる。
【０００４】
しかしながら、ＩＥＥＥ８０２．１１ａｄ−２０１２による許可フレームの現在のフィールド及びサブフィールドの定義は、例えば、いくつかのシナリオ、実装、及び／又は使用事例において、適用可能でなく、効率的でなく、かつ／あるいは十分でない可能性がある。
【０００５】
相互参照
本出願は、“Apparatus,  System  and  Method  of  Dynamically  Scheduling  a  Transmit  Opportunity”と題され2014年12月4日に申請された米国仮特許出願第62/087,313号と、“Apparatus,  System  and  Method  of  Dynamic  Allocation  Using  a  Grant  Frame”と題され2015年3月4日に申請された米国仮特許出願第62/127,861号との利益及び優先を主張し、上記出願の双方の開示全体が本明細書において参照援用される。
【図面の簡単な説明】
【０００６】
例示の簡潔さ及び明りょうさのため、図面に示される要素は必ずしも縮尺どおりに描かれてはいない。例えば、要素のいくつかの寸法は、提示の明りょうさのために他の要素に対して誇張されていることがある。さらに、参照番号が図面の中で繰り返されて、対応の又は類似の要素を示すことがある。図面が下記に列挙される。
【図１】いくつかの例証的実施形態に従う、システムの概略的ブロック図例示である。
【図２】いくつかの例証的実施形態に従う、許可フレームのデュレーションフィールドにより示されるデュレーションの終わりにおいて始まる割り当ての概略的例示である。
【図３】いくつかの例証的実施形態に従う、許可フレームの概略的例示である。
【図４】いくつかの例証的実施形態に従う、動的割り当て情報フィールドの概略的例示である。
【図５】いくつかの例証的実施形態に従う、送信機会（ＴｘＯＰ）の範囲内の割り当ての概略的例示である。
【図６】いくつかの例証的実施形態に従う、許可フレームを用いた動的割り当ての方法の概略的フローチャート例示である。
【図７】いくつかの例証的実施形態に従う、許可フレームを用いた動的割り当ての方法の概略的フローチャート例示である。
【図８】いくつかの例証的実施形態に従う、製造品の概略的例示である。
【発明を実施するための形態】
【０００７】
下記の詳細な説明において、いくつかの実施形態の完全な理解を提供するように多数の具体的な詳細が明記される。しかしながら、いくつかの実施形態はこうした具体的な詳細なしに実践され得ることが、当業者により理解されるであろう。他の例において、周知の方法、手順、コンポーネント、ユニット、及び／又は回路は、議論を分かりにくくしないように、詳細には説明されていない。
【０００８】
本明細書における、例えば「処理する」、「計算する」、「算出する」、「決定する」、「確立する」、「解析する」、「チェックする」などの用語を利用した議論は、コンピュータのレジスタ及び／又はメモリ内の物理的（電子的）量として表現されるデータを、コンピュータのレジスタ及び／又はメモリ、又は命令を記憶して動作及び／又は処理を実行することができる他の情報記憶媒体内において物理量として同様に表現される他のデータへと操作し及び／又は変換するコンピュータ、コンピューティングプラットフォーム、コンピューティングシステム、又は他の電子コンピューティング装置の、動作及び／又は処理を参照することがある。
【０００９】
用語「複数（plurality、a  plurality）」は、本明細書において使用されるとき、例えば、「複数（multiple）」又は「２つ以上」を含む。例えば、「複数のアイテム」は２つ以上のアイテムを含む。
【００１０】
「１つの実施形態」、「一実施形態」、「例証的実施形態」、「様々な実施形態」等に対する参照は、そのように説明された実施形態が特定の特徴、構造、又は特性を含むことがあることを示すが、しかし、あらゆる実施形態が必ずしも上記特定の特徴、構造、又は特性を含むわけではない。さらに、表現「一実施形態において」の繰り返しの使用は、必ずしも同じ実施形態を参照するわけではないが、しかしながら、そうであってもよい。
【００１１】
本明細書において使用されるとき、特段指定されない限り、序数形容詞の「第１の」、「第２の」、「第３の」等を使用して共通のオブジェクトを説明することは、同様のオブジェクトの異なるインスタンスが参照されていることを単に示し、そのように説明されたオブジェクトが時間的に、空間的に、ランキングにおいて、又は任意の他の仕方で所与のシーケンスであるべきと暗に示すことは意図されない。
【００１２】
いくつかの実施形態は、様々な装置及びシステムと関連して使用することができ、上記装置及びシステムは、例えば、ユーザ機器（ＵＥ）、モバイルデバイス（ＭＤ）、無線局（ＳＴＡ）、パーソナルコンピュータ（ＰＣ）、デスクトップコンピュータ、モバイルコンピュータ、ラップトップコンピュータ、ノートブックコンピュータ、タブレットコンピュータ、モノのインターネット（ＩｏＴ）のデバイス、サーバコンピュータ、ハンドヘルドコンピュータ、ハンドヘルドデバイス、パーソナルデジタルアシスタント（ＰＤＡ）デバイス、ハンドヘルドＰＤＡデバイス、オンボードデバイス、オフボードデバイス、ハイブリッドデバイス、車載デバイス、非車載デバイス、モバイル又はポータブルデバイス、消費者デバイス、非モバイル又は非ポータブルデバイス、無線通信局、無線通信デバイス、無線アクセスポイント（ＡＰ）、有線又は無線ルータ、有線又は無線モデム、ビデオデバイス、オーディオデバイス、オーディオビデオ（Ａ／Ｖ）デバイス、有線又は無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）などである。
【００１３】
いくつかの実施形態は、既存のワイヤレスギガビットアライアンス（ＷＧＡ）規格（Wireless  Gigabit  Alliance,  Inc  WiGig  MAC  and  PHY  Specification  Version  1.1,  2011年4月,  Final  specification）及び／又はその将来のバージョン及び／又は派生に従って動作するデバイス及び／又はネットワーク、既存のＩＥＥＥ８０２．１１標準（IEEE  802.11-2012,  IEEE  Standard  for  Information  technology--Telecommunications  and  information  exchange  between  systems  Local  and  metropolitan  area  networks--Specific  requirements  Part  11:  Wireless  LAN  Medium  Access  Control  (MAC)  and  Physical  Layer  (PHY)  Specifications,  2012年3月29日;  IEEE802.11ac-2013  (“IEEE  P802.11ac-2013,  IEEE  Standard  for  Information  Technology  -  Telecommunications  and  Information  Exchange  Between  Systems  -  Local  and  Metropolitan  Area  Networks  -  Specific  Requirements  -  Part  11:  Wireless  LAN  Medium  Access  Control  (MAC)  and  Physical  Layer  (PHY)  Specifications  -  Amendment  4:  Enhancements  for  Very  High  Throughput  for  Operation  in  Bands  below  6GHz”,  2013年12月);  IEEE  802.11ad  (“IEEE  P802.11ad-2012,  IEEE  Standard  for  Information  Technology  -  Telecommunications  and  Information  Exchange  Between  Systems  -  Local  and  Metropolitan  Area  Networks  -  Specific  Requirements  -  Part  11:  Wireless  LAN  Medium  Access  Control  (MAC)  and  Physical  Layer  (PHY)  Specifications  -  Amendment  3:  Enhancements  for  Very  High  Throughput  in  the  60GHz  Band”,  2012年12月28日);  IEEE-802.11REVmc  (“IEEE  802.1  l-REVmcTM/D  3.0,  2014年6月draft  standard  for  Information  technology  -  Telecommunications  and  information  exchange  between  systems  Local  and  metropolitan  area  networks  Specific  requirements;  Part  11:  Wireless  LAN  Medium  Access  Control  (MAC)  and  Physical  Layer  (PHY)  Specification”）)及び／又はこれらの将来のバージョン及び／又は派生に従って動作するデバイス及び／又はネットワーク、既存のワイヤレスフィデリティ（ＷｉＦｉ（登録商標））アライアンス（ＷＦＡ）ピアツーピア（Ｐ２Ｐ）規格（WiFi  P2P  technical  specification,  version  1.2,  2012年）及び／又はその将来のバージョン及び／又は派生に従って動作するデバイス及び／又はネットワーク、既存のセルラー仕様及び／又はプロトコル、例えば、第３世代パートナーシッププロジェクト（３ＧＰＰ（登録商標））、３ＧＰＰロングタームエボリューション（ＬＴＥ（登録商標））及び／又はこれらの将来のバージョン及び／又は派生に従って動作するデバイス及び／又はネットワーク、上記ネットワークの一部であるユニット及び／又はデバイスなどに関連して使用することができる。
【００１４】
いくつかの実施形態は、一方向及び／又は二方向ラジオ通信システム、セルラーラジオ電話通信システム、モバイルフォン、セルラー電話、無線電話、パーソナル通信システム（ＰＣＳ）デバイス、無線通信デバイスを組み込んだＰＤＡデバイス、モバイル又はポータブルのグローバルポジショニングシステム（ＧＰＳ）デバイス、ＧＰＳ受信機若しくは送信機又はチップを組み込んだデバイス、ＲＦＩＤ素子又はチップを組み込んだデバイス、複数入力複数出力（ＭＩＭＯ）送信機又はデバイス、単一入力複数出力（ＳＩＭＯ）送信機又はデバイス、複数入力単一出力（ＭＩＳＯ）送信機又はデバイス、１つ以上の内部アンテナ及び／又は外部アンテナを有するデバイス、デジタルビデオブロードキャスト（ＤＶＢ）デバイス又はシステム、マルチ標準ラジオデバイス又はシステム、有線又は無線ハンドヘルドデバイス、例えば、スマートフォン、ワイヤレスアプリケーションプロトコル（ＷＡＰ）デバイスなどに関連して使用することができる。
【００１５】
いくつかの実施形態は、無線通信信号及び／又はシステムのうち１つ以上のタイプ、例えば、ラジオ周波数（ＲＦ）、赤外線（ＩＲ）、周波数分割多重化（ＦＤＭ）、直交ＦＤＭ（ＯＦＤＭ）、直交周波数分割多元接続（ＯＦＤＭＡ）、ＦＤＭ時分割多重化（ＴＤＭ）、時分割多元接続（ＴＤＭＡ）、マルチユーザＭＩＭＯ（ＭＵ−ＭＩＭＯ）、空間分割多元接続（ＳＤＭＡ）、拡張ＴＤＭＡ（Ｅ−ＴＤＭＡ）、ジェネラルパケットラジオサービス（ＧＰＲＳ）、拡張ＧＰＲＳ、符号分割多元接続（ＣＤＭＡ）、ワイドバンドＣＤＭＡ（ＷＣＤＭＡ）、ＣＤＭＡ２０００、シングルキャリアＣＤＭＡ、マルチキャリアＣＤＭＡ、マルチキャリア変調（ＭＤＭ）、離散マルチトーン（ＤＭＴ）、Ｂｌｕｅｔｏｏｔｈ（登録商標）、グローバルポジショニングシステム（ＧＰＳ）、Ｗｉ−Ｆｉ、Ｗｉ−Ｍａｘ、ＺｉｇＢｅｅ（登録商標）、ウルトラワイドバンド（ＵＷＢ）、グローバルシステムフォーモバイルコミュニケーション（ＧＳＭ（登録商標））、２Ｇ、２．５Ｇ、３Ｇ、３．５Ｇ、４Ｇ、第５世代（５Ｇ）、又は第６世代（６Ｇ）モバイルネットワーク、３ＧＰＰ、ロングタームエボリューション（ＬＴＥ）、ＬＴＥアドバンスト、エンハンストデータレートフォーＧＳＭエボリューション（ＥＤＧＥ）などに関連して使用することができる。他の実施形態が、様々な他のデバイス、システム、及び／又はネットワークにおいて使用されてもよい。
【００１６】
用語「無線デバイス」は、本明細書において使用されるとき、例えば、無線通信の能力のあるデバイス、無線通信の能力のある通信デバイス、無線通信の能力のある通信局、無線通信の能力のあるポータブル又は非ポータブルデバイスなどを含む。いくつかの例証的実施形態において、無線デバイスは、コンピュータに統合された周辺装置又はコンピュータに取り付けられた周辺装置であることがあり、あるいはこれらを含むことができる。いくつかの例証的実施形態において、用語「無線デバイス」は、無線サービスを場合により含むことがある。
【００１７】
用語「通信する」は、通信信号に関して本明細書において使用されるとき、通信信号を送信すること及び／又は通信信号を受信することを含む。例えば、通信信号を通信することができる通信ユニットには、通信信号を少なくとも１つの他の通信ユニットに送信する送信機、及び／又は、少なくとも１つの他の通信ユニットから通信信号を受信する通信受信機を含むことができる。動詞の通信するは、送信するアクション又は受信するアクションを参照するのに使用されることがある。一例において、表現「信号を通信する」は、第１のデバイスにより信号を送信するアクションを参照することがあり、第２のデバイスにより信号を受信するアクションを必ずしも含まなくてもよい。別の例において、表現「信号を通信する」は、第１のデバイスにより信号を受信するアクションを参照することがあり、第２のデバイスにより信号を送信するアクションを必ずしも含まなくてもよい。
【００１８】
いくつかの例証的実施形態は、ＷＬＡＮ、例えば、ワイヤレスフィデリティ（ＷｉＦｉ）ネットワークと関連して使用することができる。他の実施形態が、任意の他の適切な無線通信ネットワーク、例えば、無線エリアネットワーク、「ピコネット」、ＷＰＡＮ、ＷＶＡＮなどと関連して使用されてもよい。
【００１９】
いくつかの例証的実施形態は、６０ＧＨｚの周波数バンドを通じて通信する無線通信ネットワークと関連して使用することができる。しかしながら、他の実施形態が、任意の他の適切な無線通信周波数バンドを利用して実装されてもよく、例えば、極高周波（Extremely  High  Frequency）（ＥＨＦ）バンド（ミリメートル波（ｍｍＷａｖｅ）周波数バンド）、例えば、２０ＧＨｚと３００ＧＨＺとの間の周波数バンドの範囲内の周波数バンド、ＷＬＡＮ周波数バンド、ＷＰＡＮ周波数バンド、ＷＧＡ仕様に従う周波数バンド、ＩＥＥＥ８０２．１１仕様に従う周波数バンドなどである。
【００２０】
用語「アンテナ」は、本明細書において使用されるとき、１つ以上のアンテナ素子、コンポーネント、ユニット、アセンブリ、及び／又はアレイからなる任意の適切な構成、構造、及び／又は配置を含むことができる。いくつかの実施形態において、アンテナは、別個の送信及び受信アンテナ素子を用いて送信及び受信機能性を実装することができる。いくつかの実施形態において、アンテナは、共通の及び／又は統合された送信／受信素子を用いて送信及び／受信機能性を実装することができる。アンテナには、例えば、フェーズドアレイアンテナ、単一素子アンテナ、一組の切り替えビームアンテナなどを含むことができる。
【００２１】
表現「指向性マルチギガビット」（directional  multi-gigabit）（ＤＭＧ）及び指向性バンド（ＤＢａｎｄ）は、本明細書において使用されるとき、チャネル開始周波数が４５ＧＨｚを上回る周波数バンドを参照することがある。一例において、ＤＭＧ通信は、１つ以上の指向性リンクを含んで１秒あたり複数ギガビットのレートで通信することができ、例えば、少なくとも毎秒１ギガビット、例えば７ギガビット毎秒、又は任意の他のレートである。
【００２２】
図１を参照すると、図１は、いくつかの例証的実施形態に従うシステム１００を概略的に例示する。
【００２３】
図１に示されるとおり、いくつかの例証的実施形態において、システム１００は、１つ以上の無線通信デバイスを含むことができる。例えば、システム１００は、第１の無線通信デバイス１０２、及び／又は第２の無線通信デバイス１４０を含むことができる。
【００２４】
いくつかの例証的実施形態において、デバイス１０２及び／又は１４０には、モバイルデバイス、又は、非モバイルの例えば静的なデバイスを含むことができる。
【００２５】
例えば、デバイス１０２及び／又は１４０には、例えば、ＵＥ、ＭＤ、ＳＴＡ、ＡＰ、ＰＣ、デスクトップコンピュータ、モバイルコンピュータ、ラップトップコンピュータ、Ｕｌｔｒａｂｏｏｋ（登録商標）ＴＭコンピュータ、ノートブックコンピュータ、タブレットコンピュータ、サーバコンピュータ、ハンドヘルドコンピュータ、モノのインターネット（ＩｏＴ）のデバイス、ハンドヘルドデバイス、ＰＤＡデバイス、ハンドヘルドＰＤＡデバイス、オンボードデバイス、オフボードデバイス、ハイブリッドデバイス（例えば、セルラーフォン機能性とＰＤＡデバイス機能性との組み合わせ）、消費者デバイス、車載デバイス、非車載デバイス、モバイル又はポータブルデバイス、非モバイル又は非ポータブルデバイス、モバイルフォン、セルラー電話、ＰＣＳデバイス、無線通信デバイスを組み込んだＰＤＡデバイス、モバイル又はポータブルＧＰＳデバイス、ＤＶＢデバイス、比較的小型のコンピューティングデバイス、非デスクトップコンピュータ、キャリースモールリブラージ（Carry  Small  Live  Large）（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「オリガミ」デバイス又はコンピューティングデバイス、動的構成可能コンピューティング（ＤＣＣ）をサポートするデバイス、コンテキスト認識デバイス、ビデオデバイス、オーディオデバイス、ＡＶデバイス、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、ブロードキャストＨＤ受信機、ビデオソース、オーディオソース、ビデオシンク、オーディオシンク、ステレオチューナ、ブロードキャストラジオ受信機、フラットパネルディスプレイ、パーソナルメディアプレーヤ（ＰＭＰ）、デジタルビデオカメラ（ＤＶＣ）、デジタルオーディオプレーヤ、スピーカー、オーディオ受信機、オーディオ増幅器、ゲーミングデバイス、データソース、データシンク、デジタルスチルカメラ（ＤＳＣ）、メディアプレーヤ、スマートフォン、テレビジョン、音楽プレーヤなどを含むことができる。
【００２６】
いくつかの例証的実施形態において、デバイス１０２は、例えば、プロセッサ１９１、入力ユニット１９２、出力ユニット１９３、メモリユニット１９４、及び記憶ユニット１９５のうち１つ以上を含むことができ、かつ／あるいは、デバイス１４０は、例えば、プロセッサ１８１、入力ユニット１８２、出力ユニット１８３、メモリユニット１８４、及び記憶ユニット１８５のうち１つ以上を含むことができる。デバイス１０２及び／又は１４０は、他の適切なハードウェアコンポーネント及び／又はソフトウェアコンポーネントを場合により含んでもよい。いくつかの例証的実施形態において、デバイス１０２及び／又は１４０の１つ以上のコンポーネントのうちいくつか又はすべてが、共通のハウジング又はパッケージング内に囲われてもよく、１つ以上の有線又は無線リンクを用いて相互接続され、又は動作可能に関連付けられてもよい。他の実施形態において、デバイス１０２及び／又は１４０の１つ以上のコンポーネントが、複数の又は別個のデバイス間で分散されてもよい。
【００２７】
プロセッサ１９１及び／又はプロセッサ１８１には、例えば、中央処理ユニット（ＣＰＵ）、デジタルシグナルプロセッサ（ＤＳＰ）、１つ以上のプロセッサコア、シングルコアプロセッサ、デュアルコアプロセッサ、マルチプルコアプロセッサ、マイクロプロセッサ、ホストプロセッサ、コントローラ、複数のプロセッサ若しくはコントローラ、チップ、マイクロチップ、１つ以上の回路、電気回路、論理回路、集積回路（ＩＣ）、特定用途向け集積回路、又は任意の他の適切な多目的又は特定のプロセッサ若しくはコントローラが含まれる。プロセッサ１９１は、例えば、デバイス１０２のオペレーティングシステム（ＯＳ）の命令及び／又は１つ以上の適切なアプリケーションの命令を実行する。プロセッサ１８１は、例えば、デバイス１４０のオペレーティングシステム（ＯＳ）の命令及び／又は１つ以上の適切なアプリケーションの命令を実行する。
【００２８】
入力ユニット１９２及び／又は入力ユニット１８２には、例えば、キーボード、キーパッド、マウス、タッチスクリーン、タッチパッド、トラックボール、スタイラス、マイクロフォン、又は他の適切なポインティングデバイス若しくは入力デバイスが含まれる。出力ユニット１９３及び／又は出力ユニット１８３には、例えば、モニタ、スクリーン、タッチスクリーン、フラットパネルディスプレイ、発光ダイオード（ＬＥＤ）ディスプレイユニット、液晶ディスプレイ（ＬＣＤ）ディスプレイユニット、プラズマディスプレイユニット、１つ以上のオーディオスピーカ若しくはイヤホン、又は他の適切な出力デバイスが含まれる。
【００２９】
メモリユニット１９４及び／又はメモリユニット１８４には、例えば、ランダムアクセスメモリ（ＲＡＭ）、読取専用メモリ（ＲＯＭ）、ダイナミックＲＡＭ（ＤＲＡＭ）、同期ＤＲＡＭ（ＳＤ−ＲＡＭ）、フラッシュメモリ、揮発メモリ、不揮発メモリ、キャッシュメモリ、バッファ、短期メモリユニット、長期メモリユニット、又は他の適切なメモリユニットが含まれる。記憶ユニット１９５及び／又は記憶ユニット１８５には、例えば、ハードディスクドライブ、フロッピーディスクドライブ、コンパクトディスク（ＣＤ）ドライブ、ＣＤ−ＲＯＭドライブ、ＤＶＤドライブ、又は他の適切な取外し可能若しくは取外し不能記憶ユニットが含まれる。メモリユニット１９４及び／又は記憶ユニット１９５は、例えば、デバイス１０２により処理されたデータを記憶することができる。メモリユニット１８４及び／又は記憶ユニット１８５は、例えば、デバイス１４０により処理されたデータを記憶することができる。
【００３０】
いくつかの例証的実施形態において、無線通信デバイス１０２及び／又は１４０は、無線媒体（ＷＭ）１０３を介してコンテンツ、データ、情報、及び／又は信号を通信する能力があり得る。いくつかの例証的実施形態において、無線媒体１０３には、例えば、ラジオチャネル、セルラーチャネル、ＲＦチャネル、ＷＬＡＮチャネル、ワイヤレスフィデリティ（ＷｉＦｉ）チャネル、ＩＲチャネル、Ｂｌｕｅｔｏｏｔｈ（ＢＴ）チャネル、グローバルナビゲーションサテライトシステム（ＧＮＳＳ）チャネルなどを含むことができる。
【００３１】
いくつかの例証的実施形態において、ＷＭ１０３には、指向性チャネルを含むことができる。例えば、ＷＭ１０３には、ミリメートル波（ｍｍＷａｖｅ）無線通信チャネルを含むことができる。
【００３２】
いくつかの例証的実施形態において、ＷＭ１０３には、ＤＭＧチャネルを含むことができる。他の実施形態において、ＷＭ１０３は、任意の他の追加の又は代替の指向性チャネルを含んでもよい。
【００３３】
他の実施形態において、ＷＭ１０３には、任意の他の周波数バンドを通じた任意の他タイプのチャネルを含んでもよい。
【００３４】
いくつかの例証的実施形態において、デバイス１０２及び／又は１４０は、例えば下記に説明されるような、１つ以上の無線局の機能性を実行することができる。
【００３５】
いくつかの例証的実施形態において、デバイス１０２及び／又は１４０は、１つ以上のＤＭＧ局の機能性を実行することができる。
【００３６】
他の実施形態において、デバイス１０２及び／又は１４０は、任意の他の無線デバイス及び／又は局、例えば、ＷＬＡＮ  ＳＴＡ、ＷｉＦｉ  ＳＴＡなどの機能性を実行してもよい。
【００３７】
いくつかの例証的実施形態において、デバイス１０２及び／又は１４０は、デバイス１０２、１４０、及び／又は１つ以上の他の無線通信デバイスの間で無線通信を実行する回路及び／又はロジックを含む１つ以上の無線機（radios）を含むことができる。例えば、デバイス１０２は無線機１１４を含むことができ、かつ／あるいは、デバイス１４０は無線機１４４を含むことができる。
【００３８】
いくつかの例証的実施形態において、無線機１１４及び／又は無線機１４４は、無線通信信号、ＲＦ信号、フレーム、ブロック、伝送ストリーム、パケット、メッセージ、データアイテム、及び／又はデータを受信する回路及び／又はロジックを含む１つ以上の無線受信機（Ｒｘ）を含むことができる。例えば、無線機１１４は受信機１１６を含むことができ、かつ／あるいは、無線機１４４は受信機１４６を含むことができる。
【００３９】
いくつかの例証的実施形態において、無線機１１４及び／又は１４４は、無線通信信号、ＲＦ信号、フレーム、ブロック、伝送ストリーム、パケット、メッセージ、データアイテム、及び／又はデータを送出する回路及び／又はロジックを含む１つ以上の無線送信機（Ｔｘ）を含むことができる。例えば、無線機１１４は送信機１１８を含むことができ、かつ／あるいは、無線機１４４は送信機１４８を含むことができる。
【００４０】
いくつかの例証的実施形態において、無線機１１４及び／又は１４４は、回路、ロジック、変調素子、復調素子、増幅器、アナログデジタルコンバータ及びデジタルアナログコンバータ、フィルタなどを含むことができる。例えば、無線機１１４及び／又は１４４は、無線ネットワークインターフェースカード（ＮＩＣ）を含んでもよく、あるいは該無線ＮＩＣの一部として実装されてもよい、などである。
【００４１】
いくつかの例証的実施形態において、無線機１１４及び／又は１４４は、それぞれ、１つ以上のアンテナ１０７及び／又は１４７を含んでもよく、あるいは該アンテナに関連付けられてもよい。
【００４２】
一例において、デバイス１０２は単一のアンテナ１０７を含むことがある。他の例において、デバイス１０２は２つ以上のアンテナ１０７を含んでもよい。
【００４３】
一例において、デバイス１４０は単一のアンテナ１４７を含むことがある。他の例において、デバイス１４０は２つ以上のアンテナ１４７を含んでもよい。
【００４４】
アンテナ１０７及び／又は１４７には、無線通信信号、ブロック、フレーム、伝送ストリーム、パケット、メッセージ、及び／又はデータを送信すること及び／又は受信することに適した任意タイプのアンテナを含むことができる。例えば、アンテナ１０７及び／又は１４７は、１つ以上のアンテナ素子、コンポーネント、ユニット、アセンブリ、及び／又はアレイからなる任意の適切な構成、構造、及び／又は配置を含むことができる。アンテナ１０７及び／又は１４７には、例えば、指向性通信に適したアンテナ、例えば、ビームフォーミング手法を用いたアンテナを含むことができる。例えば、アンテナ１０７及び／又は１４７には、フェーズドアレイアンテナ、複数素子アンテナ、一組の切り換えビームアンテナなどを含んでもよい。いくつかの実施形態において、アンテナ１０７及び／又は１４７は、別個の送信及び受信アンテナ素子を用いた送信及び受信機能性を実装してもよい。いくつかの実施形態において、アンテナ１０７及び／又は１４７は、共通の及び／又は統合された送信／受信素子を用いた送信及び受信機能性を実装してもよい。
【００４５】
いくつかの例証的実施形態において、アンテナ１０７及び／又は１４７には指向性アンテナを含むことができ、上記指向性アンテナは、複数のビーム方向に対して操縦することができる。
【００４６】
いくつかの例証的実施形態において、デバイス１０２はコントローラ１２４を含むことができ、かつ／あるいは、デバイス１４０はコントローラ１５４を含むことができる。コントローラ１２４及び／又は１５４は、下記に説明されるように、デバイス１０２と１４０との間で１つ以上の通信、動作、及び／又は手順を実行するように構成することができる。
【００４７】
いくつかの例証的実施形態において、コントローラ１２４及び／又は１５４は、例えば、コントローラ１２４及び／又は１５４の機能性を実行するように構成された回路及び／又はロジック、例えば、回路及び／又はロジックを含む１つ以上のプロセッサ、メモリ回路及び／又はロジック、回路及び／又はロジックを含む処理システム、媒体アクセス制御（ＭＡＣ）回路及び／又はロジック、物理レイヤ（ＰＨＹ）回路及び／又はロジック、及び／又は任意の他の回路及び／又はロジックを含むことができる。さらに、又は別法として、コントローラ１２４及び／又は１５４の１つ以上の機能性がロジックにより実装されてもよく、該ロジックは下記に説明されるように、マシン及び／又は１つ以上のプロセッサにより実行することができる。
【００４８】
一例において、コントローラ１２４は、無線デバイス、例えばデバイス１０２、及び／又は無線局、例えばデバイス１０２により実装される無線ＳＴＡに、例えば本明細書に説明されるような１つ以上の動作、通信、及び／又は機能性を実行させるための、回路及び／又はロジックを含む１つ以上のプロセッサを含むことができる。
【００４９】
一例において、コントローラ１５４は、無線デバイス、例えばデバイス１４０、及び／又は無線局、例えばデバイス１４０により実装される無線ＳＴＡに、例えば本明細書に説明されるような１つ以上の動作、通信、及び／又は機能性を実行させるための、回路及び／又はロジックを含む１つ以上のプロセッサを含むことができる。
【００５０】
いくつかの例証的実施形態において、デバイス１０２は、デバイス１０２により通信される１つ以上のメッセージを生成し、処理し、及び／又は該メッセージにアクセスするように構成されたメッセージプロセッサ１２８を含むことができる。
【００５１】
一例において、例えば下記に説明されるように、メッセージプロセッサ１２８は、デバイス１０２により送信されることになる１つ以上のメッセージを生成するように生成することができ、メッセージプロセッサ１２８は、デバイス１０２により送信される１つ以上のメッセージの送信を処理するように構成することができ、メッセージプロセッサ１２８は、デバイス１０２により受信される１つ以上のメッセージの受信を処理するように構成することができ、かつ／あるいは、メッセージプロセッサ１２８は、デバイス１０２により受信される１つ以上のメッセージにアクセスし及び／又は該メッセージを処理するように構成することができる。
【００５２】
いくつかの例証的実施形態において、デバイス１４０は、デバイス１４０により通信される１つ以上のメッセージを生成し、処理し、及び／又は該メッセージにアクセスするように構成されたメッセージプロセッサ１５８を含むことができる。
【００５３】
一例において、例えば下記に説明されるように、メッセージプロセッサ１５８は、デバイス１４０により送信されることになる１つ以上のメッセージを生成するように生成することができ、メッセージプロセッサ１５８は、デバイス１４０により送信される１つ以上のメッセージの送信を処理するように構成することができ、メッセージプロセッサ１５８は、デバイス１４０により受信される１つ以上のメッセージの受信を処理するように構成することができ、かつ／あるいは、メッセージプロセッサ１５８は、デバイス１４０により受信される１つ以上のメッセージにアクセスし及び／又は該メッセージを処理するように構成することができる。
【００５４】
いくつかの例証的実施形態において、メッセージプロセッサ１２８及び／又は１５８は、例えば、メッセージプロセッサ１２８及び／又は１５８の機能性を実行するように構成された回路及び／又はロジック、例えば、プロセッサ回路及び／又はロジック、メモリ回路及び／又はロジック、回路及び／又はロジックを含む処理システム、媒体アクセス制御（ＭＡＣ）回路及び／又はロジック、物理レイヤ（ＰＨＹ）回路及び／又はロジック、及び／又は任意の他の回路及び／又はロジックを含むことができる。さらに、又は別法として、メッセージプロセッサ１２８及び／又は１５８の１つ以上の機能性がロジックにより実装されてもよく、該ロジックは下記に説明されるように、マシン及び／又は１つ以上のプロセッサにより実行することができる。
【００５５】
いくつかの例証的実施形態において、メッセージプロセッサ１２８の機能性のうち少なくとも一部が無線機１１４の一部として実装されてもよく、かつ／あるいは、メッセージプロセッサ１５８の機能性の少なくとも一部が無線機１４４の一部として実装されてもよい。
【００５６】
いくつかの例証的実施形態において、メッセージプロセッサ１２８の機能性の少なくとも一部がコントローラ１２４の一部として実装されてもよく、かつ／あるいは、メッセージプロセッサ１５８の機能性の少なくとも一部がコントローラ１５４の機能性の少なくとも一部として実装されてもよい。
【００５７】
他の実施形態において、メッセージプロセッサ１２８の機能性はデバイス１０２の任意の他の要素の一部として実装されてもよく、かつ／あるいは、メッセージプロセッサ１５８の機能性はデバイス１０４の任意の他の要素の一部として実装されてもよい。
【００５８】
いくつかの例証的実施形態において、デバイス１０２及び／又は１４０は、アクセスポイント（ＡＰ）、例えばＤＭＧ  ＡＰ、及び／又はパーソナル基本サービスセット（ＰＢＳＳ）制御ポイント（ＰＣＰ）、例えばＤＭＧ  ＰＣＰの機能性、例えば、ＡＰ／ＰＣＰ  ＳＴＡ、例えばＤＭＧ  ＡＰ／ＰＣＰ  ＤＭＧ  ＳＴＡを実行するように構成することができる。
【００５９】
いくつかの例証的実施形態において、デバイス１０２及び／又は１４０は、非ＡＰ  ＳＴＡ、例えばＤＭＧ  非ＡＰ  ＳＴＡ、及び／又は非ＰＣＰ  ＳＴＡ、例えばＤＭＧ  非ＰＣＰ  ＳＴＡの機能性、例えば、非ＡＰ／ＰＣＰ  ＳＴＡ、例えばＤＭＧ  非ＡＰ／ＰＣＰ  ＳＴＡを実行するように構成することができる。
【００６０】
一例において、局（ＳＴＡ）は、無線媒体（ＷＭ）に対しての媒体アクセス制御（ＭＡＣ）及び物理レイヤ（ＰＨＹ）インターフェースの１つずつアドレス可能なインスタンスである論理エンティティを含むことができる。ＳＴＡは、任意の他の追加又は代替の機能性を実行してもよい。
【００６１】
一例において、ＡＰは、局（ＳＴＡ）、例えば１つのＳＴＡを含むエンティティを含み、関連付けられたＳＴＡに対する無線媒体（ＷＭ）を介して分散サービスへのアクセスを提供することができる。ＡＰは、任意の他の追加又は代替の機能性を実行してもよい。
【００６２】
一例において、パーソナル基本サービスセット（ＰＢＳＳ）制御ポイント（ＰＣＰ）は、局（ＳＴＡ）、例えば１つのＳＴＡを含むエンティティを含み、ＰＢＳＳのメンバであるＳＴＡによる無線媒体（ＷＭ）へのアクセスを調整することができる。ＰＣＰは、任意の他の追加又は代替の機能性を実行してもよい。
【００６３】
一例において、ＰＢＳＳは、指向性マルチギガビット（ＤＭＧ）基本サービスセット（ＢＳＳ）を含むことができ、該ＢＳＳは、例えば、１つのＰＢＳＳ制御ポイント（ＰＣＰ）を含む。例えば、分散システム（ＤＳ）に対するアクセスが存在しないことがあり、しかし、例えば、ＰＢＳＳ内フォワーディングサービスが場合により存在することがある。
【００６４】
一例において、ＰＣＰ／ＡＰ  ＳＴＡは、ＰＣＰ又はＡＰのうち少なくとも１つである局（ＳＴＡ）を含むことができる。ＰＣＰ／ＡＰ  ＳＴＡは、任意の他の追加又は代替の機能性を実行してもよい。
【００６５】
一例において、非ＡＰ  ＳＴＡは、ＡＰ内に含まれないＳＴＡを含むことができる。非ＡＰ  ＳＴＡは、任意の他の追加又は代替の機能性を実行してもよい。
【００６６】
一例において、非ＰＣＰ  ＳＴＡは、ＰＣＰでないＳＴＡを含むことができる。非ＰＣＰ  ＳＴＡは、任意の他の追加又は代替の機能性を実行してもよい。
【００６７】
一例において、非ＰＣＰ／ＡＰ  ＳＴＡは、ＰＣＰでなくＡＰでないＳＴＡを含むことができる。非ＰＣＰ／ＣＰ  ＳＴＡは、任意の他の追加又は代替の機能性を実行してもよい。
【００６８】
いくつかの例証的実施形態において、デバイス１０２及び１４０は、例えば下記に説明されるように、動的スケジューリングの動作を実行するように構成することができる。
【００６９】
いくつかの例証的実施形態において、割り当てられた時間の動的スケジューリングは、例えば下記に説明されるように、例えば許可フレーム（Grant  frame）を用いて、局に提供することができる。
【００７０】
いくつかの例証的実施形態において、コントローラ１２４は、例えば、無線機１１４に、例えばデバイス１４０に対しての許可フレームを生成させ、処理させ、及び／又は送信させて、例えば下記に説明されるように、例えばデバイス１４０に対しての時間期間を動的に割り当てることができる。
【００７１】
いくつかの例証的実施形態において、無線機１４４は、許可フレームを受信することができ、コントローラ１５４は、許可フレームを処理し、許可フレームの内容に従って１つ以上の動作を実行することができる。例えば、コントローラ１５４は、許可フレームにより割り当てられる、割り当てられた時間期間に従って、デバイス１４０による通信を制御することができる。一例において、コントローラ１５４は、例えば下記に説明されるように、デバイス１４０に、割り当てられた時間期間の間に通信させることができる。
【００７２】
いくつかの例証的実施形態において、許可フレームは、ＡＰ、ＰＣＰ、ＡＰ／ＰＣＰ  ＳＴＡ、非ＡＰ  ＳＴＡ、非ＰＣＰ  ＳＴＡ、及び／又は非ＡＰ／ＰＣＰ  ＳＴＡにより生成し、かつ／あるいは送信することができる。
【００７３】
いくつかの例証的実施形態において、許可フレームは、ＡＰ、ＰＣＰ、ＡＰ／ＰＣＰ  ＳＴＡ、非ＡＰ  ＳＴＡ、非ＰＣＰ  ＳＴＡ、及び／又は非ＡＰ／ＰＣＰ  ＳＴＡに対してアドレス指定され、これらにより受信され、かつ／あるいはこれらにより処理されることがある。
【００７４】
いくつかの例証的実施形態において、許可フレームは、例えば図３及び／又は図４を参照して下記で論じられるように、デュレーション（Duration）フィールドと割り当てられたデュレーション（Allocated  duration）フィールドとを含むことができる。
【００７５】
いくつかの例証的実施形態において、デュレーションフィールドは、例えば、ある継続時間を示すことができ、この継続時間は、例えば、時間を例えばマイクロ秒単位でカバーする（cover）ことができる。
【００７６】
他の実施形態において、デュレーションフィールドは、任意の他のデュレーションを含むことができ、かつ／あるいは任意の他の時間単位を表現することができる。
【００７７】
いくつかの例証的実施形態において、割り当てデュレーションフィールドは、例えば下記に説明されるように、割り当てられた時間を示すことができる。
【００７８】
いくつかの例証的実施形態において、いくつかのシナリオ、使用事例、及び／又は実装において、許可フレームは、割り当てられた時間サイズを示すように設定された割り当てデュレーションフィールドを含むことができ、許可フレームのデュレーションフィールドは、例えば下記に説明されるように、ある時点を示すように設定することができ、該時点において、割り当てデュレーションフィールド内に示される割り当てられた時間サイズを開始することができる。
【００７９】
図２は、いくつかの例証的実施形態に従う、許可フレームのデュレーションフィールドにより示されるデュレーションの終わりに始まる割り当てデュレーションの概略的例示である。
【００８０】
図２に示されるとおり、第１のデバイス（ＳＴＡ  Ａ）は、デュレーション（「デュレーション」）２０２を有することができ、そのデュレーションの間、ＳＴＡ  Ａは、送信信号、例えばアグリゲート媒体アクセス制御プロトコルデータユニット（Aggregate  Media  access  control  protocol  data  unit）（Ａ−ＭＰＤＵ）２０４を、第２のデバイス（ＳＴＡ  Ｂ）に送信することができる。
【００８１】
図２に示されるとおり、ＳＴＡ  Ａは、許可フレーム２０６を、例えばＳＴＡ  Ｂに送信することができる。
【００８２】
図２に示されるとおり、ＳＴＡ  Ａ及び／又はＳＴＡ  Ｂは、許可フレーム２０６のデュレーションフィールドにより示される時間期間２０８（「許可デュレーション」）の終わりに始まるように許可割り当てデュレーション２１０を設定することができる。
【００８３】
図２に示されるとおり、許可デュレーション２０８は、デュレーション２０２の終わりに終了するように設定することができる。このことに応じて、割り当てデュレーション２１０は、デュレーション２０２の終わりに開始することができる。
【００８４】
いくつかの例証的実施形態において、許可フレームの割り当てデュレーションフィールドに示される割り当てられた時間サイズが開始され得る時間を示すように許可フレームのデュレーションフィールドを定義することは、例えば下記に説明されるように、いくつかの使用事例、シナリオ、及び／又は実装に対して適切でないことがある。
【００８５】
図１に戻ると、デバイス１０２及び／又は１４０は、例えば下記に説明されるように、許可フレームを使用して送信機会（Transmit  Opportunity）（“ＴｘＯＰ”又は“ＴＸＯＰ”）又はサービス期間（Service  Period）（ＳＰ）内で動的割り当てを実行するように構成することができる。
【００８６】
いくつかの例証的実施形態において、デバイス１０２及び／又は１４０は、コンテンションベースアクセス期間（Contention  based  Access  Period）（ＣＢＡＰ）の間に許可フレームを通信するように構成することができる。
【００８７】
いくつかの例証的実施形態において、許可フレームは、ＴｘＯＰの間に送信することができる。例えば、許可フレームは、ＴｘＯＰ保持者局（holder  station）からＴｘＯＰ応答者局（responder  station）に送信することができる。一例において、デバイス１０２はＴｘＯＰ保持者局の機能性を実行することができ、かつ／あるいは、デバイス１４０はＴｘＯＰ応答者局の機能性を実行することができる。
【００８８】
いくつかの例証的実施形態において、デバイス１０２及び／又は１４０は、例えば下記に説明されるように、例えばＣＢＡＰの間、例えば許可フレームを使用して、現在のＴｘＯＰを超えて割り当てを許可するように構成することができる。
【００８９】
いくつかの例証的実施形態において、デバイス１０２及び／又は１４０は、例えば下記に説明されるように、例えばＣＢＡＰの間、例えば許可フレームを使用して、現在のＴｘＯＰ内で割り当てを許可するように構成することができる。
【００９０】
いくつかの例証的実施形態において、デバイス１０２及び／又は１４０は、サービス期間（ＳＰ）の間に許可フレームを通信するように構成することができる。例えば、許可フレームは、ＳＰの送信元（Source）ＳＴＡからＳＰの宛先（destination）局に送信することができる。一例において、デバイス１０２は送信元ＳＴＡの機能性を実行することができ、かつ／あるいは、デバイス１４０は宛先局の機能性を実行することができる。
【００９１】
いくつかの例証的実施形態において、デバイス１０２及び／又は１４０は、例えば下記に説明されるように、例えばＳＰの間に、例えば許可フレームを使用して、現在のＳＰ内で割り当てを許可するように構成することができる。
【００９２】
いくつかの例証的実施形態において、デバイス１０２及び／又は１４０は、例えば下記に説明されるように、ＴｘＯＰ又はＳＰ内で動的割り当てを実行するように構成することができる。
【００９３】
いくつかの例証的実施形態において、デバイス１０２及び１４０は、例えば下記に説明されるように、例えば許可フレームを用いて、ＴＸＯＰ又はＳＰの残りの部分を再スケジュールする、例えば譲る（relinquish）ように構成することができる。
【００９４】
一例において、デバイス１０２は、ＴＸＯＰの保持者であり得る。例えば、デバイス１０２がＴｘＯＰの間に送信されるべきさらなるデータを有さない場合、又は任意の他の理由で、コントローラ１２４は、例えばＴＸＯＰの残りを、別のデバイスに、例えばデバイス１４０に対して再スケジュールする、例えば譲るように構成することができる。
【００９５】
一例において、コントローラ１２４は、例えば下記に説明されるように、無線機１４４に、ＴｘＯＰの少なくとも一部、例えばＴｘＯＰの残りを、別のデバイスに、例えばデバイス１４０に対して再スケジュールする、例えば譲るように構成された許可フレームをデバイス１４０に対して送信させることができる。
【００９６】
一例において、デバイス１０２は、ＳＰの送信元ＳＴＡであり得る。コントローラ１２４は、例えば、デバイス１０２がＳＰの間に送信されるべきさらなるデータを有さない場合、又は任意の他の理由で、例えばＳＰの残りを別のデバイスに、例えばデバイス１４０に対して再スケジュールし、例えば譲るように構成することができる。
【００９７】
一例において、コントローラ１２４は、無線機１１４に、例えば下記に説明されるように、ＳＰの少なくとも一部、例えばＳＰの残りを、別のデバイスに、例えばデバイス１４０に対して再スケジュールする、例えば譲るように構成された許可フレームを例えばデバイス１４０に対して送信させることができる。
【００９８】
いくつかの例証的実施形態において、ＴＸＯＰ又はＳＰの少なくとも一部を再スケジュールするとき、許可フレームは、例えば、存在するＴｘＯＰ又はＳＰに追加で時間を割り当てないと同時に、ＴｘＯＰ又はＳＰ内で時間を割り当てるように構成することができる。
【００９９】
いくつかの例証的実施形態において、許可フレームのデュレーションフィールドは、ＴｘＯＰ又はＳＰの終わりを指し示すように設定することができる。
【０１００】
いくつかの例証的実施形態において、例えば上記で説明されたように、許可フレームの割り当てデュレーションフィールドの割り当てられた時間を、許可フレームのデュレーションフィールドにより示される時間期間の終わりに始まるように定義することは、例えばデュレーションフィールドがＴｘＯＰ又はＳＰの終わりを指し示す場合、ＴｘＯＰ又はＳＰの残りが再スケジュールされることになることをデバイス１０２がデバイス１４０に通信できるようにしない可能性がある。現在のバージョンのプロトコル及び／又は標準、例えば、ＩＥＥＥ８０２．１１ａｄ−２０１２及び／又はＩＥＥＥ８０２．１１ＲＥＶｍｃは、上記の状況に対する解決策を提供していない。
【０１０１】
いくつかの例証的実施形態において、動的割り当ての開始でなく、例えば動的に割り当てられる時間をカバーするようにデュレーションフィールドを設定することは、いくつかのシナリオ、使用事例、及び／又は実装において、例えば割り当てられた時間がデュレーションフィールドに提示された時間の終わりに開始され得るとき、効率的な解決策を提供しない可能性がある。
【０１０２】
いくつかの例証的実施形態において、デバイス１０２及び１４０は、例えば下記に説明されるように、割り当てられたデュレーションのサイズを示す値に代わって、例えば、許可フレームの割り当てデュレーションフィールド内の所定の値、例えば予約された値を使用するように構成することができる。
【０１０３】
いくつかの例証的実施形態において、ＴＸＯＰの間に許可フレームを使用するとき、所定の値、例えば予約された値は、例えば許可フレームがＴＸＯＰの間に送信される場合、例えば許可フレームの送信者から許可フレームの受信者に、ＴｘＯＰの残りが再スケジュールされることになると示すように構成することができる。
【０１０４】
一例において、コントローラ１２４は、許可フレームをデバイス１４０に対してアドレス指定することができ、許可フレームの割り当てデュレーションフィールドを所定の値に設定して、例えば、ＴｘＯＰの残りがデバイス１４０に対して再スケジュールされる、例えば、譲られることになると示すことができる。
【０１０５】
いくつかの例証的実施形態において、割り当てがＴｘＯＰの外側であるとき、割り当ては、例えば下記に説明されるように、デュレーションフィールド内の値（「デュレーション値」）と割り当てデュレーションフィールド内の値（「割り当てデュレーション値」）との和で開始することができる。
【０１０６】
一例において、コントローラ１２４は、許可フレームをデバイス１４０に対してアドレス指定することができ、例えば下記に説明されるように、許可フレームの割り当てデュレーションフィールドを所定の値以外の値に設定して、例えば、許可フレームのデュレーションフィールドにより示されるデュレーションに続いて割り当てられるべき期間の実際のサイズを、例えばマイクロ秒単位で示すことができる。
【０１０７】
いくつかの例証的実施形態において、ＳＰの間に許可フレームを使用するとき、所定の値、例えば予約された値は、例えば許可フレームがＳＰの間に送信される場合、例えば許可フレームの送信者から許可フレームの受信者に、ＳＰの残りが再スケジュールされることになると示すように構成することができる。
【０１０８】
一例において、コントローラ１２４は、許可フレームをデバイス１４０に対してアドレス指定することができ、許可フレームの割り当てデュレーションフィールドを所定の値に設定して、例えば、ＳＰの残りがデバイス１４０に対して再スケジュールされる、例えば譲られることになることを示すことができる。
【０１０９】
図３を参照すると、図３は、いくつかの例証的実施形態に従う許可フレーム３００を概略的に例示する。例えば、許可フレーム３００は、第１のデバイス、例えばデバイス１０２（図１）から、第２のデバイス、例えばデバイス１４０（図１）に送信することができる。
【０１１０】
図３に示されるとおり、許可フレーム３００は、デュレーションフィールド３０２（さらに「デュレーション／ＩＤフィールド」とも呼ばれる）、受信アドレス（ＲＡ）フィールド３０４、送信アドレス（ＴＡ）フィールド３０６、及び動的割り当て情報（インフォ）フィールド３０８を含むことができる。
【０１１１】
いくつかの例証的実施形態において、ＲＡフィールド３０４は、例えば、許可フレーム３００を受信すべき局、例えばデバイス１４０（図１）のアドレス、例えばＭＡＣアドレスを含むことができ、ＴＡフィールドは、例えば、許可フレーム３００を送信している局、例えばデバイス１０２（図１）のアドレス、例えばＭＡＣアドレスを含むことができる。
【０１１２】
さらに図４を参照すると、図４は、いくつかの例証的実施形態に従う動的割り当て情報フィールド４００の概略的例示である。例えば、動的割り当て情報フィールド４００は、動的割り当てインフォフィールド３０８（図３）の機能性を実行することができる。
【０１１３】
いくつかの例証的実施形態において、動的割り当てフィールド４００は、割り当てタイプフィールド４０９を含むことができ、割り当てタイプフィールド４０９は、例えば、許可フレーム３００（図３）により許可されることになる割り当ての間のチャネルアクセスメカニズムを定義するように設定することができる。一例において、割り当てタイプフィールド４０９は、例えばＳＰを示す第１の値に、又は例えばＣＢＡＰを示す第２の値に設定することができる。
【０１１４】
いくつかの例証的実施形態において、動的割り当て情報フィールド４００は、送信元関連識別子（ＡＩＤ）フィールド４１０を含むことができ、送信元ＡＩＤフィールド４１０は、例えば許可フレーム３００（図３）により許可されることになる割り当ての送信元であるＳＴＡを識別するように設定することができる。
【０１１５】
いくつかの例証的実施形態において、動的割り当て情報フィールド４００は、宛先ＡＩＤフィールド４１２を含むことができ、宛先ＡＩＤフィールド４１２は、例えば許可フレーム３００（図３）により許可されることになる割り当ての宛先であるＳＴＡを識別するように設定することができる。
【０１１６】
いくつかの例証的実施形態において、動的割り当て情報フィールド４００は、例えば下記に説明されるように、割り当てデュレーションサブフィールド４０２を含むことができる。
【０１１７】
いくつかの例証的実施形態において、動的割り当てインフォサブフィールド、例えば動的割り当てサブフィールド４００が、許可フレーム、例えば許可フレーム３００（図３）内で送信されるとき、割り当てデュレーションサブフィールド、例えば割り当てデュレーションサブフィールド４０２は、例えば割り当てられた時間の、例えば、サービス期間（ＳＰ）割り当て又はコンテンションベースアクセス期間（ＣＢＡＰ）の許可されたデュレーションを、例えばマイクロ秒単位で含むように設定することができる。
【０１１８】
いくつかの例証的実施形態において、割り当てデュレーションサブフィールド４０２は、デュレーション値を例えばマイクロ秒単位で含むように構成することができ、該デュレーション値は、例えば、所定の値範囲（「取り得る値」）から選択することができる。
【０１１９】
一例において、割り当てデュレーションサブフィールド４０２のとり得る値は、例えば、ＣＢＡＰ割り当てについて、例えば０から３２７６７に及び得る。他の実施形態において、割り当てデュレーションサブフィールド４０２の値は、任意の他の所定の値範囲の範囲内に設定されてもよい。
【０１２０】
いくつかの例証的実施形態において、ＣＢＡＰ割り当てのための割り当てデュレーションフィールド４０２は、ＴｘＯＰの制限によって制限することができ、例えば、該制限の間に、許可フレームが送信される。
【０１２１】
いくつかの例証的実施形態において、割り当てデュレーションサブフィールド４０２は、所定の値を含むように構成することができ、該所定の値は、例えば下記に説明されるように、とり得る値の範囲内でなく、例えば、許可フレーム３００（図３）がＴｘＯＰ又はＳＰを再スケジュールする、例えば譲るのに使用されることになると示してもよい。
【０１２２】
いくつかの例証的実施形態において、例えばとり得る値の範囲内でない値、例えば３２７６８の値が、許可フレーム３００（図３）内に送信される割り当てデュレーションサブフィールド４０２の中に設定される場合、動的割り当ては、例えば、許可Ａｃｋサポート（Grant  Ack  Supported）フィールドが応答者のＤＭＧ能力要素において１に等しい場合、後に、例えば、送られた許可フレーム３００（図３）のショートインターフレームスペース（Short  Inter  Frame  Space）（ＳＩＦＳ）後、又は送られた許可肯定応答（Ａｃｋ）フレームのＳＩＦＳ後に開始することができる。
【０１２３】
いくつかの例証的実施形態において、割り当てデュレーションサブフィールド４０２内の３２７６８の値が許可フレーム３００内で送信される場合、例えば、動的割り当ては、例えば、許可フレームのデュレーション／ＩＤフィールド内に提示されるデュレーション、例えば、許可フレーム３００（図３）のデュレーションフィールド３０２（図３）の満了まで継続し得る。
【０１２４】
いくつかの例証的実施形態において、許可フレーム３００（図３）内で送信される割り当てデュレーションサブフィールド４０２の“０”の値は、例えば、ＳＴＡが１つのＰＰＤＵの後に続いて任意の関連肯定応答プラス１つの送信要求（Request  to  Send）（ＲＴＳ）／ＤＭＧ送信可（Clear  to  Send）（ＣＴＳ）ハンドシェイクを送信できることを意味し得る。
【０１２５】
いくつかの例証的実施形態において、ＴｘＯＰ又はＳＰ内で送信される許可フレーム
、例えば許可フレーム３００（図３）の割り当てデュレーションサブフィールド４０２は、例えば下記に説明されるように、所定の値、例えば３２７６８の値に設定されて、例えば、許可フレームがＴｘＯＰ又はＳＰの残りを譲るのに使用されることになると示すことができる。
【０１２６】
図５を参照すると、図５は、いくつかの例証的実施形態に従う、送信機会（ＴｘＯＰ）の動的割り当てを概略的に例示する。
【０１２７】
いくつかの例証的実施形態が、例えば図５を参照して下記に説明されるように、ＴＸＯＰの残りを譲るように構成された動作及び／又は通信に関して下記で説明される。他の実施形態において、動作及び／又は通信のうち１つ以上が、例えば、ＳＰの残り又は任意の他の期間若しくは割り当てを譲るように実装されてもよい。
【０１２８】
図５に示されるとおり、第１のデバイス（ＳＴＡ  Ａ）、例えばデバイス１０２（図１）は、ＴｘＯＰ５０１のＴｘＯＰ保持者であり得る。例えば、ＳＴＡ  Ａは、送信要求（ＲＴＳ）フレーム５０２、又はＴｘＯＰ５０１を取得するよう構成された任意の他の送信信号を送信することができる。ＳＴＡ  Ｂは、ＲＴＳ５０２に対して、送信可（ＣＴＳ）フレーム５０４又は任意の他のフレームを用いて応答することができる。
【０１２９】
いくつかの例証的実施形態において、ＴｘＯＰ５０１は、ＣＢＡＰ内であり得る。
【０１３０】
図５に示されるとおり、ＳＴＡ  Ａは、データフレーム、例えばＡ−ＭＰＤＵ５０６を、ＳＴＡ  Ｂに送信することができ、ＳＴＡ  Ｂは、ブロック肯定応答（Block  Acknowledge）（ＢＡＣＫ）５０８で応答することができる。
【０１３１】
図５に示されるとおり、ＳＴＡ  Ａは、許可フレーム５１０を、例えばＳＴＡ  Ｂに送信することができる。
【０１３２】
いくつかの例証的実施形態において、コントローラ１２４（図１）は、許可フレーム５１０の割り当てデュレーションフィールド、例えば割り当てデュレーションフィールド４０２（図４）の中に、所定の値、例えば３２７６８の値を設定することができる。所定の値は、とり得る値の範囲、例えば範囲０〜３２７６７の、外側であるように構成することができ、この値は、例えば上記で説明されたように、時間期間の割り当てられたデュレーションを示すのに使用することができる。
【０１３３】
いくつかの例証的実施形態において、コントローラ１２４（図１）は、例えば、許可フレーム５１０の割り当てデュレーションフィールド４０２（図４）を所定値の３２７６８に設定して、例えば許可フレーム５１０のデュレーションフィールド３０２（図３）に示されるようなＴｘＯＰ５０１の残り５０７が、例えばＳＴＡ  ＡからＳＴＡ  Ｂに対して再割り当てされる、例えば譲られることになると示すことができ、したがって、例えば、ＳＴＡ  ＢはＴＸＯＰ保持者になることができ、ＳＴＡ  ＡはＴＸＯＰ応答者になることができる。
【０１３４】
例えば、図５に示されるとおり、ＳＴＡ  Ｂは、送信信号、例えばＡ−ＭＰＤＵ５１２を、ＳＴＡ  Ａに送信するのを許容されることができ、ＳＴＡ  Ａは、ＢＡＣＫ５１４で応答することができる。
【０１３５】
図１に戻ると、いくつかの例証的実施形態において、デバイス１０２は、例えばＣＢＡＰの間、許可フレーム、例えば許可フレーム３００（図３）を送信することができる。
【０１３６】
いくつかの例証的実施形態において、許可フレームは、割り当てデュレーションフィールド、例えば割り当てデュレーションフィールド４０２（図４）を含むことができ、この割り当てデュレーションフィールドは、例えば下記に説明されるように、許可フレーム送信の目的を示すように設定することができる。
【０１３７】
いくつかの例証的実施形態において、動的割り当てインフォサブフィールド、例えばフレーム３００（図３）の動的割り当てインフォサブフィールド３０８（図３）が、ＣＢＡＰの許可フレーム、例えば、許可フレーム３００（図３）内で送信することができるとき、割り当てデュレーションフィールド、例えば、デュレーション割り当てフィールド４０２（図４）の値は、許可フレーム送信の目的を示すことができる。
【０１３８】
いくつかの例証的実施形態において、２つの目的が、例えば下記のとおり、許可フレーム送信に対してあり得る：
ａ）  現在のＴＸＯＰを超越：  この場合、割り当てデュレーションフィールド値は０から３２７６７に及ぶ。許可フレームの割り当てデュレーションフィールドプラスデュレーションフィールドの値は、許可フレームを送信しているＳＴＡが許可フレームのＲＡフィールドにより示されるＳＴＡとの通信のためにアクセスを開始しようと試みることになるときの、許可フレームのＰＨＹ−ＴＸＥＮＤ．ｉｎｄｉｃａｔｉｏｎプリミティブからの時間オフセットを示す。
ｂ）  同じＴＸＯＰの範囲内：  この場合、割り当てデュレーションサブフィールドは３２７６８に設定される。
【０１３９】
一例において、デバイス１０２は、例えば上記で説明されたように、許可フレーム３００（図３）を送信して現在のＴｘＯＰの後の割り当てを許可することができる。この例に従い、デバイス１０２は、所定の値範囲の範囲内、例えば０と３２７６７との間の値範囲の範囲内の値に設定された割り当てデュレーションフィールド４０２（図４）を含むように許可フレーム３００（図３）を設定することができる。
【０１４０】
上記の例に従い、許可された割り当ての始まりは、例えば、割り当てデュレーションフィールド４０２（図４）の値と許可フレーム３００（図３）のデュレーションフィールド３０２（図３）の値との和に基づいて決定することができる。例えば、割り当てデュレーションフィールド４０２（図４）の値と許可フレーム３００（図３）のデュレーションフィールド３０２（図３）の値との和は、許可フレーム３００（図３）を送信しているＳＴＡ、例えばデバイス１０２が、許可フレーム３００（図３）のＲＡフィールド３０４（図３）により示されるＳＴＡ、例えばデバイス１４０との通信のためにアクセスを開始しようと試みることになるときの、許可フレーム３００（図３）のＰＨＹ−ＴＸＥＮＤ．ｉｎｄｉｃａｔｉｏｎプリミティブからの時間オフセットを示すことができる。さらに、又は別法として、例えば、割り当てデュレーションフィールド４０２（図４）の値と許可フレーム３００（図３）のデュレーションフィールド３０２（図３）の値との和は、許可フレーム３００（図３）を送信しているＳＴＡ、例えばデバイス１０２が、許可フレーム３００（図３）のＲＡフィールド（図３）により示されるＳＴＡ、例えばデバイス１４０からの送信試行を受信する準備ができ得るときの、許可フレーム３００（図３）のＰＨＹ−ＴＸＥＮＤ．ｉｎｄｉｃａｔｉｏｎプリミティブからの時間オフセットを示してもよい。
【０１４１】
別の例において、デバイス１０２は、例えば上記で説明されたように、許可フレーム３００（図３）を例えばデバイス１４０に送信して、例えば、同じ現在のＴｘＯＰ内で割り当てを許可することができる。
【０１４２】
上記の例に従い、デバイス１０２は、所定の値に設定された割り当てデュレーションフィールド４０２（図４）を含むように許可フレーム３００（図３）を設定することができ、上記所定の値は、所定の値範囲の範囲内でなく、例えば、値３２７６８である。上記の例に従い、割り当てデュレーションフィールド４０２（図４）の所定の値は、ＴｘＯＰの残りが、例えば上記に説明されるとおり、例えばデバイス１４０に対して譲られることになると示すことができる。
【０１４３】
いくつかの例証的実施形態において、任意の他の追加又は代替の目的が、許可フレームに対して定義されてもよい。
【０１４４】
いくつかの例証的実施形態において、デバイス１０２は、例えばＳＰの間、許可フレーム、例えば許可フレーム３００（図３）を送信することができる。
【０１４５】
いくつかの例証的実施形態において、動的割り当てインフォサブフィールドがＳＰの送信元ＳＴＡによる許可フレーム内で送信されるとき、割り当てデュレーションサブフィールドは３２７６８に設定される。
【０１４６】
一例において、デバイス１０２は、ＳＰの送信元ＳＴＡの機能性を実行することができる。デバイス１０２は、３２７６８に設定された割り当てデュレーションサブフィールド４０２（図４）を含む動的割り当てインフォサブフィールド３０８（図３）を含む許可フレーム３００（図３）を送信することができる。
【０１４７】
いくつかの例証的実施形態において、デバイス１０２及び／又は１４０は、例えば許可期間（Grant  Period）（ＧＰ）を割り当てるように許可フレーム３００（図３）を通信するように構成することができる。
【０１４８】
いくつかの例証的実施形態において、送信元ＤＭＧ  ＳＴＡ、例えばデバイス１０２と、宛先ＤＭＧ  ＳＴＡ、例えばデバイス１４０との間のＳＰの間に、送信元ＤＭＧ  ＳＴＡは、許可フレーム、例えば許可フレーム３００（図３）を、宛先ＤＭＧ  ＳＴＡに送信して、例えば、宛先ＤＭＧ  ＳＴＡに対してＳＰの残りを譲ることができる。
【０１４９】
いくつかの例証的実施形態において、送信された許可フレームの割り当てインフォフィールド、例えば許可フレーム３００（図３）の割り当てインフォフィールド３０８（図３）において、送信元ＤＭＧ  ＳＴＡは、送信元ＡＩＤフィールド、例えば送信元ＡＩＤフィールド４１０（図４）を宛先ＤＭＧ  ＳＴＡのＡＩＤに、宛先ＡＩＤフィールド、例えば宛先ＡＩＤフィールド４１２（図４）を送信元ＤＭＧ  ＳＴＡのＡＩＤに、割り当てタイプフィールド、例えば割り当てタイプフィールド４０９（図４）をＳＰを示すように、及び、デュレーションフィールド、例えばデュレーションフィールド３０２（図３）をＳＰ内の残りの時間マイナスＴＸＴＩＭＥ（許可フレーム）マイナスショートインターフレームスペース（ＳＩＦＳ）時間に設定するべきである。
【０１５０】
いくつかの例証的実施形態において、許可フレーム、例えば許可フレーム３００（図３）内の割り当てデュレーションフィールド、例えば割り当てデュレーションフィールド４０２（図４）は、上記で定義されたように、例えば値３２７６８に設定されるべきである。
【０１５１】
いくつかの例証的実施形態において、０に等しいビームフォーミングトレーニングフィールドを有する許可フレームの送信において、ＳＰの残りについて、送信元ＤＭＧ  ＳＴＡと宛先ＤＭＧ  ＳＴＡとの役割がＳＴＡ間で交換される。
【０１５２】
いくつかの例証的実施形態において、ＴｘＯＰ保持者、例えばデバイス１０２と、ＴＸＯＰ応答者、例えばデバイス１４０との間のＴｘＯＰの間に、ＴＸＯＰ保持者は許可フレーム、例えば許可フレーム３００（図３）をＴＸＯＰ応答者に送信して、ＴＸＯＰの残りをＴＸＯＰ応答者に対して譲ることができる。
【０１５３】
いくつかの例証的実施形態において、送信された許可フレーム、例えば、許可フレーム３００（図３）において、ＴＸＯＰ保持者は、送信元ＡＩＤフィールド、例えば送信元ＡＩＤフィールド４１０（図４）をＴＸＯＰ応答者のＡＩＤに、宛先ＡＩＤフィールド、例えば宛先ＡＩＤフィールド４１２（図４）をＴＸＯＰ保持者のＡＩＤに、割り当てタイプフィールド、例えば割り当てタイプフィールド４０９（図４）をＣＢＡＰを示すように、及び、デュレーションフィールド、例えばデュレーションフィールド３０２（図３）を、ＴＸＯＰ内に残っている時間マイナスＴＸＴＩＭＥ（許可フレーム）マイナスショートインターフレームスペース（ＳＩＦＳ）時間に設定するべきである。
【０１５４】
いくつかの例証的実施形態において、許可フレーム内の割り当てデュレーションフィールド、例えば割り当てデュレーションフィールド４０２（図４）は、例えば、上記で説明されたように設定されるべきである。例えば、許可フレーム３００（図３）内の割り当てデュレーションフィールド４０２（図４）は、例えば上記で説明されたように、所定の値、例えば３２７６８に設定されて、例えば、許可フレーム３００（図３）がＴｘＯＰの残りをＴｘＯＰ応答者に譲ることを示すことができる。
【０１５５】
いくつかの例証的実施形態において、０に等しいビームフォーミングトレーニングフィールドを有する許可フレームの送信において、ＴｘＯＰの残りについて、ＴＸＯＰ保持者とＴＸＯＰ応答者との役割がＳＴＡ間で交換される。
【０１５６】
いくつかの例証的実施形態において、コントローラ１２４は、デバイス１０２により実装される第１の無線局に、デュレーションフィールド、例えばデュレーションフィールド３０２（図３）と、動的割り当て情報フィールド、例えば動的割り当てインフォフィールド４００（図４）とを含む許可フレーム、例えば許可フレーム３００（図３）を生成させることができ、動的割り当て情報フィールドは、例えば上記で説明されたように、割り当てデュレーションサブフィールド、例えば割り当てデュレーションサブフィールド４０２（図４）を含み、割り当てデュレーションサブフィールドは、例えば、許可フレームが第２の無線局、例えばデバイス１４０に、ＴｘＯＰの後のある期間を許可するとき、所定の値範囲、例えば範囲０〜３２７６７の範囲内の値に設定される。
【０１５７】
いくつかの例証的実施形態において、コントローラ１２４は、デバイス１０２により実装される第１の無線局に、割り当てデュレーションサブフィールド、例えば割り当てデュレーションサブフィールド４０２（図４）を含む許可フレームを生成させることができ、割り当てデュレーションサブフィールドは、例えば上記で説明されたように、例えば、許可フレームが第２の無線局、例えばデバイス１４０に、ＴｘＯＰ内のある期間を許可するとき、所定の値範囲の範囲内でない所定の値、例えば値３２７６８に設定される。
【０１５８】
いくつかの例証的実施形態において、コントローラ１２４は、第１の無線局に、例えば無線機１１４を介して、ＴｘＯＰの間に許可フレームを送信させることができる。
【０１５９】
いくつかの例証的実施形態において、コントローラ１２４は、第１の無線局に、例えば上記で説明されたように、ＣＢＡＰ内に許可フレームを送信させることができる。
【０１６０】
いくつかの例証的実施形態において、コントローラ１２４は、第１の無線局に、例えば上記で説明されたように、ＴｘＯＰの保持者として動作させることができる。
【０１６１】
例えば、コントローラ１２４は、デバイス１０２に、所定の値、例えば３２６２８に設定された割り当てデュレーションサブフィールド４０２（図４）を含む許可フレーム３００を送信させて、ＴｘＯＰの残りがＴｘＯＰ保持者からＴｘＯＰ応答者、例えばデバイス１４０に譲られることになると示すことができる。
【０１６２】
いくつかの例証的実施形態において、コントローラ１２４は、上記で説明されたように、第１の無線局に、デュレーションフィールド３０２（図３）の値を、ＴｘＯＰ内に残っている時間から許可フレーム３００（図３）の送信時間とショートインターフレームスペース（ＳＩＦＳ）時間とを減算した結果に設定させることができる。
【０１６３】
いくつかの例証的実施形態において、コントローラ１２４は、例えば上記で説明されたように、第１の無線局に、割り当てデュレーションサブフィールドを、所定の値範囲の範囲内の値に、例えば範囲０〜３２６２７の範囲内の値に設定させて、第１の無線局が、割り当てデュレーションサブフィールド４０２（図４）の値とデュレーションフィールド３０２（図３）の値との和に基づく時間に第２の無線局、例えばデバイス１４０と通信するためにアクセスを開始しようと試みることになると示すことができる。
【０１６４】
いくつかの例証的実施形態において、コントローラ１５４は、例えばデバイス１４０により実装され得る第２の無線局に、第１の無線局からの許可フレームの受信を処理させることができる。例えば、コントローラ１５４は、上記で説明されたように、無線機１４４及び／又はメッセージプロセッサ１５８に、許可フレーム３００（図３）がＴｘＯＰの後の期間を許可することになるときには所定の値範囲の範囲内の値に設定された動的割り当てサブフィールド４０２（図４）を含み、又は許可フレーム３００（図３）がＴｘＯＰ内の期間を許可することになるときには所定の値範囲の範囲内でない所定の値に設定された割り当てデュレーションサブフィールド４０２（図４）を含む許可フレーム３００（図３）の受信を処理させることができる。
【０１６５】
いくつかの例証的実施形態において、コントローラ１５４は、例えば上記で説明されたように、デバイス１４０により実装され得る第２の無線局に、割り当てデュレーションサブフィールドに基づいて、ＴｘＯＰの後の期間内に又はＴｘＯＰ内の期間内に通信を処理させることができる。
【０１６６】
いくつかの例証的実施形態において、コントローラ１２４は、デバイス１０２により実装される第１の無線局に、デュレーションフィールド、例えばデュレーションフィールド３０２（図３）と、動的割り当て情報フィールド、例えば動的割り当てインフォフィールド４００（図４）とを含む許可フレーム、例えば許可フレーム３００（図３）を生成させることができ、動的割り当て情報フィールドは、割り当てデュレーションサブフィールド、例えば割り当てデュレーションサブフィールド４０２（図４）を含み、例えば上記で説明されたように、割り当てデュレーションサブフィールドは、所定の値、例えば値３２７６８に設定され、デュレーションフィールド、例えばデュレーションフィールド３０２（図３）は、ＳＰ内に残っている時間から許可フレーム３００（図３）の送信時間とＳＩＦＳとを減算した結果、例えば、ＳＰ内に残っている時間と、許可フレーム３００（図３）の送信時間とＳＩＦＳとの和との間の差に設定される。
【０１６７】
いくつかの例証的実施形態において、コントローラ１２４は、第１の無線局に、例えば無線機１１４を介して、ＳＰの間に許可フレームを送信させることができる。
【０１６８】
いくつかの例証的実施形態において、コントローラ１２４は、第１の無線局に、ＳＰの送信元局として動作させ、送信元局から、ＳＰの宛先局、例えばデバイス１４０により実装される第２の無線局に、ＳＰの残りを譲らせることができる。
【０１６９】
いくつかの例証的実施形態において、コントローラ１５４は、例えばデバイス１４０により実装され得る第２の無線局に、第１の無線局からの許可フレームの受信を処理させることができる。例えば、コントローラ１５４は、例えば上記で説明されたように、無線機１４４及び／又はメッセージプロセッサ１５８に、例えばＳＰの間、所定の値、例えば３２７６８に設定された動的割り当てサブフィールド４０２（図４）を含む許可フレーム３００（図３）の受信を処理させることができる。
【０１７０】
いくつかの例証的実施形態において、コントローラ１５４は、例えばデバイス１４０により実装され得る第２の無線局に、例えば上記で説明されたように、ＳＰの残りについてＳＰの送信元局の役割を実行させることができる。
【０１７１】
図６を参照すると、図６は、いくつかの例証的実施形態に従う、許可フレームを用いた動的割り当ての方法を概略的に例示する。例えば、図６の方法の動作のうち１つ以上が、システム、例えばシステム１００（図１）の１つ以上の要素、例えば、１つ以上の無線デバイス、例えばデバイス１０２（図１）及び／又はデバイス１４０（図１）、コントローラ、例えばコントローラ１２４（図１）及び／又はコントローラ１５４（図１）、無線機、例えば無線機１１４（図１）及び／又は無線機１４４（図１）、及び／又は、メッセージプロセッサ、例えばメッセージプロセッサ１２８（図１）及び／又はメッセージプロセッサ１５８（図１）により実行することができる。
【０１７２】
いくつかの例証的実施形態において、図６の方法の１つ以上の動作は、ＴｘＯＰの間に、例えばＣＢＡＰ内に実行することができる。
【０１７３】
ブロック６０２に示されるとおり、上記方法は、デュレーションフィールド及び動的割り当て情報フィールドを含む許可フレームを生成することを含むことができ、動的割り当て情報フィールドは割り当てデュレーションサブフィールドを含む。例えば、コントローラ１２４（図１）は、例えば上記で説明されたように、メッセージプロセッサ１２８（図１）に許可フレーム３００（図３）を生成させることができる。
【０１７４】
ブロック６０３に示されるとおり、上記方法は、第２の無線局に対してＴｘＯＰの後の期間を許可するように許可フレームを設定することを含むことができる。
【０１７５】
ブロック６０４に示されるとおり、上記方法は、例えば、許可フレームが第２の無線局に対してＴｘＯＰの後の期間を許可することになるとき、割り当てデュレーションサブフィールドを所定の値範囲の範囲内の値に設定することを含むことができる。例えば、コントローラ１２４（図１）は、例えば上記で説明されたように、許可フレーム３００（図３）が第２の無線局に対してＴｘＯＰの後の期間を許可することになるとき、メッセージプロセッサ１２８（図１）に、例えば、割り当てデュレーションサブフィールド４０２（図４）を値０〜３２６２７の範囲内の値に設定させることができる。
【０１７６】
ブロック６０５に示されるとおり、上記方法は、第２の無線局に対してＴｘＯＰの範囲内の期間を許可するように許可フレームを設定することを含むことができる。
【０１７７】
ブロック６０６に示されるとおり、上記方法は、例えば、許可フレームが第２の無線局に対してＴｘＯＰの範囲内の期間を許可することになるとき、割り当てデュレーションサブフィールドを、上記所定の値範囲の範囲内でない所定の値に設定することを含むことができる。例えば、コントローラ１２４（図１）は、例えば上記で説明されたように、許可フレーム３００（図３）が第２の無線局に対してＴｘＯＰの範囲内の期間を許可することになるとき、メッセージプロセッサ１２８（図１）に、例えば、割り当てデュレーションサブフィールド４０２（図４）を値３２６２８に設定させることができる。
【０１７８】
ブロック６０８に示されるとおり、上記方法は、デュレーションフィールドの値を、ＴｘＯＰ内に残っている時間から許可フレームの送信時間とショートインターフレームスペース（ＳＩＦＳ）時間とを減算した結果に設定することを含むことができる。例えば、コントローラ１２４（図１）は、例えば上記で説明されたように、メッセージプロセッサ１２８（図１）に、デュレーションフィールド３０２（図３）を、ＴｘＯＰ内に残っている時間から許可フレーム３００（図３）の送信時間とＳＩＦＳとを減算した結果に設定させることができる。
【０１７９】
ブロック６１０に示されるとおり、上記方法は、ＴｘＯＰの間に許可フレームを送信することを含むことができる。例えば、コントローラ１２４（図１）は、例えば上記で説明されたように、無線機１１４（図１）に、ＴｘＯＰの間に許可フレーム３００（図３）を送信させることができる。
【０１８０】
ブロック６１２に示されるとおり、上記方法は、ＴｘＯＰの間に許可フレームの受信を処理することを含むことができる。例えば、コントローラ１５４（図１）は、例えば上記で説明されたように、無線機１４４（図１）に、ＴｘＯＰの間に許可フレーム３００（図３）の受信を処理させることができる。
【０１８１】
ブロック６１４に示されるとおり、上記方法は、例えば割り当てデュレーションサブフィールドに基づいて、ＴｘＯＰの後の期間に又はＴｘＯＰの範囲内の期間に通信を処理することを含むことができる。例えば、コントローラ１５４（図１）は、例えば上記で説明されたように、無線通信デバイス１４０（図１）に、例えば受信した許可フレーム３００（図３）の割り当てデュレーションサブフィールド４０２（図４）に基づいて、ＴｘＯＰの後の期間に又はＴｘＯＰの範囲内の期間に通信を処理させることができる。
【０１８２】
図７を参照すると、図７は、いくつかの例証的実施形態に従う、許可フレームを用いた動的割り当ての方法を概略的に例示する。例えば、図７の方法の動作のうち１つ以上が、システム、例えばシステム１００（図１）の１つ以上の要素、例えば、１つ以上の無線デバイス、例えばデバイス１０２（図１）及び／又はデバイス１４０（図１）、コントローラ、例えばコントローラ１２４（図１）及び／又はコントローラ１５４（図１）、無線機、例えば無線機１１４（図１）及び／又は無線機１４４（図１）、及び／又は、メッセージプロセッサ、例えばメッセージプロセッサ１２８（図１）及び／又はメッセージプロセッサ１５８（図１）により実行することができる。
【０１８３】
いくつかの例証的実施形態において、図７の方法の１つ以上の動作は、ＳＰの間に実行することができる。
【０１８４】
ブロック７０２に示されるとおり、上記方法は、デュレーションフィールド及び動的割り当て情報フィールドを含む許可フレームを生成することを含むことができ、動的割り当て情報フィールドは割り当てデュレーションサブフィールドを含む。例えば、コントローラ１２４（図１）は、例えば上記で説明されたように、メッセージプロセッサ１２８（図１）に許可フレーム３００（図３）を生成させることができる。
【０１８５】
ブロック７０４に示されるとおり、上記方法は、割り当てデュレーションサブフィールドを所定の値に設定することと、デュレーションフィールドを、ＳＰ内に残っている時間から許可フレームの送信時間とＳＩＦＳ時間とを減算した結果に設定することとを含むことができる。例えば、コントローラ１２４（図１）は、例えば上記で説明されたように、メッセージプロセッサ１２８（図１）に、割り当てデュレーションサブフィールド４０２（図４）を値３２６２８に設定させ、デュレーションフィールド３０２（図３）の値をＳＰ内の残っている時間から許可フレーム３００（図３）の送信時間とＳＩＦＳ時間とを減算した結果に設定させる。
【０１８６】
ブロック７０６に示されるとおり、上記方法は、ＳＰの間に許可フレームを送信することを含むことができる。例えば、コントローラ１２４（図１）は、例えば上記で説明されたように、無線機１１４（図１）に、ＳＰの間に許可フレーム３００（図３）を送信させることができる。
【０１８７】
ブロック７０８に示されるとおり、上記方法は、ＳＰの間に許可フレームの受信を処理することを含むことができる。例えば、コントローラ１５４（図１）は、例えば上記で説明されたように、無線機１４４（図１）に、ＳＰの間に許可フレーム３００（図３）の受信を処理させることができる。
【０１８８】
ブロック７１０に示されるとおり、上記方法は、ＳＰの残りについて、ＳＰの送信元局の役割を実行することを含むことができる。例えば、コントローラ１５４（図１）は、例えば上記で説明されたように、無線通信デバイス１４０（図１）に、ＳＰの残りについてＳＰの送信元局の役割を実行させることができる。
【０１８９】
図８を参照すると、図８は、いくつかの例証的実施形態に従う製造品８００を概略的に例示する。製品８００には、ロジック８０４を記憶する非一時的マシン読取可能記憶媒体８０２を含むことができ、上記製品が使用されて、例えば、デバイス１０２及び／又は１４０（図１）、送信機１１８及び／又は１４８（図１）、受信機１１６及び／又は１４６（図１）、コントローラ１２４及び／又は１５４（図１）、メッセージプロセッサ１２８及び／又は１５８（図１）の機能性の少なくとも一部を実行し、かつ／あるいは、上記で図５、６、及び／又は７を参照して説明された１つ以上の動作及び／又は通信を実行することができる。表現「非一時的マシン読取可能媒体」は、すべてのコンピュータ読取可能媒体を含むように向けられ、唯一の例外が一時的伝搬信号である。
【０１９０】
いくつかの例証的実施形態において、製品８００及び／又はマシン読取可能記憶媒体８０２は、データを記憶することができるコンピュータ読取可能記憶媒体のうち１つ以上のタイプを含むことができ、該記憶媒体には、揮発メモリ、不揮発メモリ、取外し可能又は取外し不能メモリ、消去可能又は消去不能メモリ、書込み可能又は再書き込み可能メモリなどが含まれる。例えば、マシン読取可能記憶媒体８０２には、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えば、ＮＯＲ又はＮＡＮＤフラッシュメモリ）、コンテンツアドレス可能メモリ（ＣＡＭ）、ポリマーメモリ、相変化メモリ、強誘電体メモリ、ＳＯＮＯＳ（silicon-oxide-nitride-oxide-silicon）メモリ、ディスク、フロッピーディスク、ハードドライブ、光ディスク、磁気ディスク、カード、磁気カード、光学カード、テープ、カセットなどが含まれる。コンピュータ読取可能記憶媒体には、通信リンク、例えばモデム、無線機、又はネットワーク接続をとおして搬送波又は他の伝搬媒体内に具現化されたデータ信号により運ばれるコンピュータプログラムをリモートのコンピュータから要求元のコンピュータにダウンロードすること又は転送することに関与する任意の適切な媒体を含むことができる。
【０１９１】
いくつかの例証的実施形態において、ロジック８０４は、命令、データ、及び／又はコードを含むことができ、これらは、マシンにより実行される場合に、本明細書に説明されたような方法、処理、及び／又は動作をマシンに実行させることができる。マシンには、例えば、任意の適切な処理プラットフォーム、コンピューティングプラットフォーム、コンピューティング装置、処理装置、コンピューティングシステム、処理システム、コンピュータ、プロセッサなどを含むことができ、ハードウェア、ソフトウェア、ファームウェアなどの任意の適切な組み合わせを用いて実装することができる。
【０１９２】
いくつかの例証的実施形態において、ロジック８０４は、ソフトウェア、ソフトウェアモジュール、アプリケーション、プログラム、サブルーチン、命令、命令セット、コンピューティングコード、ワード、値、シンボルなどを含むことができ、あるいはこれらとして実装することができる。命令には、任意の適切なタイプのコード、例えば、ソースコード、コンパイルされたコード、解釈されたコード、実行可能コード、静的コード、動的コードなどを含むことができる。命令は、特定の機能を実行するようプロセッサに命令するために、所定のコンピュータ言語、文法、又はシンタックスに従って実装することができる。命令は、任意の適切な高水準の、低水準の、オブジェクト指向の、ビジュアルの、コンパイルされた、及び／又は解釈されたプログラミング言語を用いて実装することができ、上記プログラミング言語は、例えば、Ｃ、Ｃ＋＋、Ｊａｖａ（登録商標）、ＢＡＳＩＣ、Ｍａｔｌａｂ（登録商標）、Ｐａｓｃａｌ、Ｖｉｓｕａｌ  ＢＡＳＩＣ（登録商標）、アセンブリ言語、マシンコードなどである。
【０１９３】
実施例
下記の実施例が、さらなる実施形態に関連する。
【０１９４】
例１は、第１の無線局に、デュレーションフィールドと動的割り当て情報フィールドとを含む許可フレームを生成することであって、上記動的割り当て情報フィールドは割り当てデュレーションサブフィールドを含み、上記割り当てデュレーションサブフィールドは、上記許可フレームが第２の無線局に送信機会（ＴｘＯＰ）の後の期間を許可するとき、所定の値範囲の範囲内の値に設定され、上記割り当てデュレーションサブフィールドは、上記許可フレームが上記第２の無線局に上記ＴｘＯＰの範囲内の期間を許可するとき、上記所定の値範囲の範囲内でない所定の値に設定される、ことと、上記ＴｘＯＰの間に上記許可フレームを送信することと、を行わせるよう構成された回路を含む１つ以上のプロセッサを備えた装置を含む。
【０１９５】
例２は、例１に記載の構成要件を含み、場合により、当該装置は、上記第１の無線局に上記ＴｘＯＰの保持者として動作させるように構成され、上記許可フレームは、上記所定の値に設定された上記割り当てデュレーションサブフィールドを含んで、上記ＴｘＯＰの残りが上記ＴｘＯＰの保持者からＴｘＯＰの応答者に譲られることを示す。
【０１９６】
例３は、例２に記載の構成要件を含み、場合により、当該装置は、上記第１の無線局に、上記デュレーションフィールドの値を、上記ＴｘＯＰ内に残っている時間から上記許可フレームの送信時間とショートインターフレームスペース（ＳＩＦＳ）時間とを減算した結果に設定させるように構成される。
【０１９７】
例４は、例１に記載の構成要件を含み、場合により、当該装置は、上記第１の無線局に、上記割り当てデュレーションサブフィールドを上記所定の値範囲の範囲内の値に設定させて、上記第１の無線局が上記割り当てデュレーションサブフィールドの値と上記デュレーションフィールドの値との和に基づく時間に上記第２の無線局と通信するためにアクセスを開始しようと試みることを示すように構成される。
【０１９８】
例５は、例１〜４のうちいずれか１つに記載の構成要件を含み、場合により、当該装置は、上記第１の無線局に、コンテンションベースアクセス期間（ＣＢＡＰ）に上記許可フレームを送信させる。
【０１９９】
例６は、例１〜５のうちいずれか１つに記載の構成要件を含み、場合により、上記所定の値は３２７６８である。
【０２００】
例７は、例１〜６のうちいずれか１つに記載の構成要件を含み、場合により、上記値範囲は０乃至３２７６７の範囲を含む。
【０２０１】
例８は、例１〜７のうちいずれか１つに記載の構成要件を含み、場合により、上記第１の無線局はダイレクトマルチギガビット（Direct  Multi  Gigabit）（ＤＭＧ）局（ＳＴＡ）である。
【０２０２】
例９は、例１〜８のうちいずれか１つに記載の構成要件を含み、場合により、１つ以上のアンテナとメモリとを含む。
【０２０３】
例１０は、第１の無線局に、第２の無線局からの許可フレームの受信を処理することであって、上記許可フレームは、デュレーションフィールドと動的割り当て情報フィールドとを含み、上記動的割り当て情報フィールドは、割り当てデュレーションサブフィールドを含み、上記割り当てデュレーションサブフィールドは、上記許可フレームが送信機会（ＴｘＯＰ）の後の期間を許可するとき、所定の値範囲の範囲内の値に設定され、上記割り当てデュレーションサブフィールドは、上記許可フレームが上記ＴｘＯＰの範囲内の期間を許可するとき、上記所定の値範囲の範囲内でない所定の値に設定される、ことと、上記割り当てデュレーションサブフィールドに基づいて、上記ＴｘＯＰの後の期間に又は上記ＴｘＯＰの範囲内の期間に通信を処理することと、を行わせるよう構成された回路を含む１つ以上のプロセッサを備えた装置を含む。
【０２０４】
例１１は、例１０に記載の構成要件を含み、場合により、当該装置は、上記第１の無線局に上記ＴｘＯＰの応答者として動作させるように構成され、上記許可フレームは、上記所定の値に設定された上記割り当てデュレーションサブフィールドを含んで、上記ＴｘＯＰの残りがＴｘＯＰの保持者から上記ＴｘＯＰの応答者に譲られることを示す。
【０２０５】
例１２は、例１１に記載の構成要件を含み、場合により、上記デュレーションフィールドの値は、上記ＴｘＯＰ内に残っている時間から上記許可フレームの送信時間とショートインターフレームスペース（ＳＩＦＳ）時間とを減算した結果である。
【０２０６】
例１３は、例１０に記載の構成要件を含み、場合により、割り当てデュレーションサブフィールドが上記所定の値範囲の範囲内の値に設定されて、上記第２の無線局が上記割り当てデュレーションサブフィールドの値と上記デュレーションフィールドの値との和に基づく時間に上記第１の無線局と通信するためにアクセスを開始しようと試みることを示す。
【０２０７】
例１４は、例１０〜１３のうちいずれか１つに記載の構成要件を含み、場合により、当該装置は、上記第１の無線局に、コンテンションベースアクセス期間（ＣＢＡＰ）に上記許可フレームの受信を処理させる。
【０２０８】
例１５は、例１０〜１４のうちいずれか１つに記載の構成要件を含み、場合により、上記所定の値は３２７６８である。
【０２０９】
例１６は、例１０〜１５のうちいずれか１つに記載の構成要件を含み、場合により、上記値範囲は０乃至３２７６７の範囲を含む。
【０２１０】
例１７は、例１０〜１６のうちいずれか１つに記載の構成要件を含み、場合により、上記第１の無線局はダイレクトマルチギガビット（ＤＭＧ）局（ＳＴＡ）である。
【０２１１】
例１８は、例１０〜１７のうちいずれか１つに記載の構成要件を含み、場合により、１つ以上のアンテナとメモリとを含む。
【０２１２】
例１９は、第１の無線局に、デュレーションフィールドと動的割り当て情報フィールドとを含む許可フレームを生成することであって、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、ことと、上記ＳＰの間に上記許可フレームを送信することと、を行わせるよう構成された回路を含む１つ以上のプロセッサを備えた装置を含む。
【０２１３】
例２０は、例１９に記載の構成要件を含み、場合により、当該装置は、上記第１の無線局に、上記ＳＰの送信元局として動作させ、上記ＳＰの残りを上記送信元局から上記ＳＰの宛先局に譲らせる。
【０２１４】
例２１は、例１９又は２０に記載の構成要件を含み、場合により、上記所定の値は３２７６８である。
【０２１５】
例２２は、例１９〜２１のうちいずれか１項に記載の構成要件を含み、場合により、上記第１の無線局はダイレクトマルチギガビット（ＤＭＧ）局（ＳＴＡ）である。
【０２１６】
例２３は、例１９〜２２のうちいずれか１項に記載の構成要件を含み、場合により、１つ以上のアンテナとメモリとを含む。
【０２１７】
例２４は、第１の無線局に、第２の無線局からの許可フレームの受信を処理することであって、上記許可フレームは、デュレーションフィールドと動的割り当て情報フィールドとを含み、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、ことと、上記ＳＰの残りについて、上記ＳＰの送信元局の役割を実行することと、を行わせるよう構成された回路を含む１つ以上のプロセッサを備えた装置を含む。
【０２１８】
例２５は、例２４に記載の構成要件を含み、場合により、上記所定の値は３２７６８である。
【０２１９】
例２６は、例２４又は２５に記載の構成要件を含み、場合により、上記第１の無線局はダイレクトマルチギガビット（ＤＭＧ）局（ＳＴＡ）である。
【０２２０】
例２７は、例２４〜２６のうちいずれか１項に記載の構成要件を含み、場合により、１つ以上のアンテナとメモリとを含む。
【０２２１】
例２８は、第１の無線局を含むシステムを含み、上記無線局は、１つ以上のアンテナと、メモリと、デュレーションフィールドと動的割り当て情報フィールドとを含む許可フレームを生成するメッセージプロセッサであって、上記動的割り当て情報フィールドは割り当てデュレーションサブフィールドを含み、上記割り当てデュレーションサブフィールドは、上記許可フレームが第２の無線局に送信機会（ＴｘＯＰ）の後の期間を許可するとき、所定の値範囲の範囲内の値に設定され、上記割り当てデュレーションサブフィールドは、上記許可フレームが上記第２の無線局に上記ＴｘＯＰの範囲内の期間を許可するとき、上記所定の値範囲の範囲内でない所定の値に設定される、メッセージプロセッサと、上記ＴｘＯＰの間に上記許可フレームを送信する無線機と、を含む。
【０２２２】
例２９は、例２８に記載の構成要件を含み、場合により、上記第１の無線局は上記ＴｘＯＰの保持者として動作し、上記許可フレームは、上記所定の値に設定された上記割り当てデュレーションサブフィールドを含んで、上記ＴｘＯＰの残りが上記ＴｘＯＰの保持者からＴｘＯＰの応答者に譲られることを示す。
【０２２３】
例３０は、例２９に記載の構成要件を含み、場合により、上記第１の無線局は、上記デュレーションフィールドの値を、上記ＴｘＯＰ内に残っている時間から上記許可フレームの送信時間とショートインターフレームスペース（ＳＩＦＳ）時間とを減算した結果に設定する。
【０２２４】
例３１は、例２８に記載の構成要件を含み、場合により、上記第１の無線局は、上記割り当てデュレーションサブフィールドを上記所定の値範囲の範囲内の値に設定して、上記第１の無線局が上記割り当てデュレーションサブフィールドの値と上記デュレーションフィールドの値との和に基づく時間に上記第２の無線局と通信するためにアクセスを開始しようと試みることを示す。
【０２２５】
例３２は、例２８〜３１のうちいずれか１項に記載の構成要件を含み、場合により、上記無線機は、コンテンションベースアクセス期間（ＣＢＡＰ）に上記許可フレームを送信する。
【０２２６】
例３３は、例２８〜３２のうちいずれか１項に記載の構成要件を含み、場合により、上記所定の値は３２７６８である。
【０２２７】
例３４は、例２８〜３３のうちいずれか１項に記載の構成要件を含み、場合により、上記値範囲は０乃至３２７６７の範囲を含む。
【０２２８】
例３５は、例２８〜３４のうちいずれか１項に記載の構成要件を含み、場合により、上記第１の無線局はダイレクトマルチギガビット（ＤＭＧ）局（ＳＴＡ）である。
【０２２９】
例３６は、無線通信のシステムを含み、当該システムは、１つ以上のアンテナと、メモリと、第１の無線局と、を備え、上記第１の無線局は、第２の無線局からの許可フレームの受信を処理することであって、上記許可フレームは、デュレーションフィールドと動的割り当て情報フィールドとを含み、上記動的割り当て情報フィールドは、割り当てデュレーションサブフィールドを含み、上記割り当てデュレーションサブフィールドは、上記許可フレームが送信機会（ＴｘＯＰ）の後の期間を許可するとき、所定の値範囲の範囲内の値に設定され、上記割り当てデュレーションサブフィールドは、上記許可フレームが上記ＴｘＯＰの範囲内の期間を許可するとき、上記所定の値範囲の範囲内でない所定の値に設定され、上記割り当てデュレーションサブフィールドに基づいて、上記ＴｘＯＰの後の期間に又は上記ＴｘＯＰの範囲内の期間に通信を処理する。
【０２３０】
例３７は、例３６に記載の構成要件を含み、場合により、上記第１の無線局は、上記ＴｘＯＰの応答者として動作し、上記許可フレームは、上記所定の値に設定された上記割り当てデュレーションサブフィールドを含んで、上記ＴｘＯＰの残りがＴｘＯＰの保持者から上記ＴｘＯＰの応答者に譲られることを示す。
【０２３１】
例３８は、例３７に記載の構成要件を含み、場合により、上記デュレーションフィールドの値は、上記ＴｘＯＰ内に残っている時間から上記許可フレームの送信時間とショートインターフレームスペース（ＳＩＦＳ）時間とを減算した結果である。
【０２３２】
例３９は、例３６に記載の構成要件を含み、場合により、割り当てデュレーションサブフィールドが上記所定の値範囲の範囲内の値に設定されて、上記第２の無線局が上記割り当てデュレーションサブフィールドの値と上記デュレーションフィールドの値との和に基づく時間に上記第１の無線局と通信するためにアクセスを開始しようと試みることを示す。
【０２３３】
例４０は、例３６〜３９のうちいずれか１つに記載の構成要件を含み、場合により、上記第１の無線局は、コンテンションベースアクセス期間（ＣＢＡＰ）に上記許可フレームの受信を処理する。
【０２３４】
例４１は、例３６〜４０のうちいずれか１つに記載の構成要件を含み、場合により、上記所定の値は３２７６８である。
【０２３５】
例４２は、例３６〜４１のうちいずれか１つに記載の構成要件を含み、場合により、上記値範囲は０乃至３２７６７の範囲を含む。
【０２３６】
例４３は、例３６〜４２のうちいずれか１つに記載の構成要件を含み、場合により、上記第１の無線局はダイレクトマルチギガビット（ＤＭＧ）局（ＳＴＡ）である。
【０２３７】
例４４は、第１の無線局を備えたシステムを含み、上記第１の無線局は、１つ以上のアンテナと、メモリと、デュレーションフィールドと動的割り当て情報フィールドとを含む許可フレームを生成するメッセージプロセッサであって、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、メッセージプロセッサと、上記ＳＰの間に上記許可フレームを送信する無線機と、を含む。
【０２３８】
例４５は、例４４に記載の構成要件を含み、場合により、上記第１の無線局は、上記ＳＰの送信元局として動作し、上記ＳＰの残りを上記送信元局から上記ＳＰの宛先局に譲る。
【０２３９】
例４６は、例４４又は４５に記載の構成要件を含み、場合により、上記所定の値は３２７６８である。
【０２４０】
例４７は、例４４〜４６のうちいずれか１つに記載の構成要件を含み、場合により、上記第１の無線局はダイレクトマルチギガビット（ＤＭＧ）局（ＳＴＡ）である。
【０２４１】
例４８は、無線通信のシステムを含み、当該システムは、１つ以上のアンテナと、メモリと、第１の無線局とを備え、上記第１の無線局は、第２の無線局からの許可フレームの受信を処理することであって、上記許可フレームは、デュレーションフィールドと動的割り当て情報フィールドとを含み、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定され、上記ＳＰの残りについて、上記ＳＰの送信元局の役割を実行する。
【０２４２】
例４９は、例４８に記載の構成要件を含み、場合により、上記所定の値は３２７６８である。
【０２４３】
例５０は、例４８又は４９に記載の構成要件を含み、場合により、上記第１の無線局はダイレクトマルチギガビット（ＤＭＧ）局（ＳＴＡ）である。
【０２４４】
例５１は、第１の無線局により実行される方法を含み、当該方法は、デュレーションフィールドと動的割り当て情報フィールドとを含む許可フレームを生成することであって、上記動的割り当て情報フィールドは割り当てデュレーションサブフィールドを含み、上記割り当てデュレーションサブフィールドは、上記許可フレームが第２の無線局に送信機会（ＴｘＯＰ）の後の期間を許可するとき、所定の値範囲の範囲内の値に設定され、上記割り当てデュレーションサブフィールドは、上記許可フレームが上記第２の無線局に上記ＴｘＯＰの範囲内の期間を許可するとき、上記所定の値範囲の範囲内でない所定の値に設定される、ことと、上記ＴｘＯＰの間に上記許可フレームを送信することと、を含む。
【０２４５】
例５２は、例５１に記載の構成要件を含み、場合により、上記第１の無線局は、上記ＴｘＯＰの保持者として動作し、上記許可フレームは、上記所定の値に設定された上記割り当てデュレーションサブフィールドを含んで、上記ＴｘＯＰの残りが上記ＴｘＯＰの保持者からＴｘＯＰの応答者に譲られることを示す。
【０２４６】
例５３は、例５２に記載の構成要件を含み、場合により、上記デュレーションフィールドの値を、上記ＴｘＯＰ内に残っている時間から上記許可フレームの送信時間とショートインターフレームスペース（ＳＩＦＳ）時間とを減算した結果に設定することを含む。
【０２４７】
例５４は、例５１に記載の構成要件を含み、場合により、上記割り当てデュレーションサブフィールドを上記所定の値範囲の範囲内の値に設定して、上記第１の無線局が上記割り当てデュレーションサブフィールドの値と上記デュレーションフィールドの値との和に基づく時間に上記第２の無線局と通信するためにアクセスを開始しようと試みることを示す。
【０２４８】
例５５は、例５１〜５４のうちいずれか１つに記載の構成要件を含み、場合により、コンテンションベースアクセス期間（ＣＢＡＰ）に上記許可フレームを送信することを含む。
【０２４９】
例５６は、例５１〜５５のうちいずれか１つに記載の構成要件を含み、場合により、上記所定の値は３２７６８である。
【０２５０】
例５７は、例５１〜５６のうちいずれか１つに記載の構成要件を含み、場合により、上記値範囲は０乃至３２７６７の範囲を含む。
【０２５１】
例５８は、例５１〜５７のうちいずれか１つに記載の構成要件を含み、場合により、上記第１の無線局はダイレクトマルチギガビット（ＤＭＧ）局（ＳＴＡ）である。
【０２５２】
例５９は、第１の無線局により実行される方法を含み、当該方法は、第２の無線局からの許可フレームの受信を処理することであって、上記許可フレームは、デュレーションフィールドと動的割り当て情報フィールドとを含み、上記動的割り当て情報フィールドは、割り当てデュレーションサブフィールドを含み、上記割り当てデュレーションサブフィールドは、上記許可フレームが送信機会（ＴｘＯＰ）の後の期間を許可するとき、所定の値範囲の範囲内の値に設定され、上記割り当てデュレーションサブフィールドは、上記許可フレームが上記ＴｘＯＰの範囲内の期間を許可するとき、上記所定の値範囲の範囲内でない所定の値に設定される、ことと、上記割り当てデュレーションサブフィールドに基づいて、上記ＴｘＯＰの後の期間に又は上記ＴｘＯＰの範囲内の期間に通信を処理することと、を含む。
【０２５３】
例６０は、例５９に記載の構成要件を含み、場合により、上記第１の無線局は、上記ＴｘＯＰの応答者として動作し、上記許可フレームは、上記所定の値に設定された上記割り当てデュレーションサブフィールドを含んで、上記ＴｘＯＰの残りがＴｘＯＰの保持者から上記ＴｘＯＰの応答者に譲られることを示す。
【０２５４】
例６１は、例６０に記載の構成要件を含み、場合により、上記デュレーションフィールドの値は、上記ＴｘＯＰ内に残っている時間から上記許可フレームの送信時間とショートインターフレームスペース（ＳＩＦＳ）時間とを減算した結果である。
【０２５５】
例６２は、例５９に記載の構成要件を含み、場合により、割り当てデュレーションサブフィールドが上記所定の値範囲の範囲内の値に設定されて、上記第２の無線局が上記割り当てデュレーションサブフィールドの値と上記デュレーションフィールドの値との和に基づく時間に上記第１の無線局と通信するためにアクセスを開始しようと試みることを示す。
【０２５６】
例６３は、例５９〜６２のうちいずれか１つに記載の構成要件を含み、場合により、コンテンションベースアクセス期間（ＣＢＡＰ）に上記許可フレームの受信を処理することを含む。
【０２５７】
例６４は、例５９〜６３のうちいずれか１つに記載の構成要件を含み、場合により、上記所定の値は３２７６８である。
【０２５８】
例６５は、例５９〜６４のうちいずれか１つに記載の構成要件を含み、場合により、上記値範囲は０乃至３２７６７の範囲を含む。
【０２５９】
例６６は、例５９〜６５のうちいずれか１つに記載の構成要件を含み、場合により、上記第１の無線局はダイレクトマルチギガビット（ＤＭＧ）局（ＳＴＡ）である。
【０２６０】
例６７は、第１の無線局により実行される方法を含み、当該方法は、デュレーションフィールドと動的割り当て情報フィールドとを含む許可フレームを生成することであって、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、ことと、上記ＳＰの間に上記許可フレームを送信することと、を含む。
【０２６１】
例６８は、例６７に記載の構成要件を含み、場合により、上記第１の無線局を上記ＳＰの送信元局として動作させることと、上記ＳＰの残りを上記送信元局から上記ＳＰの宛先局に譲ることとを含む。
【０２６２】
例６９は、例６７又は６８に記載の構成要件を含み、場合により、上記所定の値は３２７６８である。
【０２６３】
例７０は、例６７〜６９のうちいずれか１つに記載の構成要件を含み、場合により、上記第１の無線局はダイレクトマルチギガビット（ＤＭＧ）局（ＳＴＡ）である。
【０２６４】
例７１は、第１の無線局により実行される方法を含み、当該方法は、第２の無線局からの許可フレームの受信を処理することであって、上記許可フレームは、デュレーションフィールドと動的割り当て情報フィールドとを含み、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、ことと、上記ＳＰの残りについて、上記ＳＰの送信元局の役割を実行することと、を含む。
【０２６５】
例７２は、例７１に記載の構成要件を含み、場合により、上記所定の値は３２７６８である。
【０２６６】
例７３は、例７１又は７２に記載の構成要件を含み、場合により、上記第１の無線局はダイレクトマルチギガビット（ＤＭＧ）局（ＳＴＡ）である。
【０２６７】
例７４は、コンピュータ実行可能命令を含む１つ以上の有形コンピュータ読取可能非一時的記憶媒体を含む製品を含み、上記コンピュータ実行可能命令は、少なくとも１つのコンピュータプロセッサにより実行されるときに、上記少なくとも１つのコンピュータプロセッサが第１の無線局における方法を実施できるように動作可能であり、上記方法は、デュレーションフィールドと動的割り当て情報フィールドとを含む許可フレームを生成することであって、上記動的割り当て情報フィールドは割り当てデュレーションサブフィールドを含み、上記割り当てデュレーションサブフィールドは、上記許可フレームが第２の無線局に送信機会（ＴｘＯＰ）の後の期間を許可するとき、所定の値範囲の範囲内の値に設定され、上記割り当てデュレーションサブフィールドは、上記許可フレームが上記第２の無線局に上記ＴｘＯＰの範囲内の期間を許可するとき、上記所定の値範囲の範囲内でない所定の値に設定される、ことと、上記ＴｘＯＰの間に上記許可フレームを送信することと、を含む。
【０２６８】
例７５は、例７４に記載の構成要件を含み、場合により、上記第１の無線局は、上記ＴｘＯＰの保持者として動作し、上記許可フレームは、上記所定の値に設定された上記割り当てデュレーションサブフィールドを含んで、上記ＴｘＯＰの残りが上記ＴｘＯＰの保持者からＴｘＯＰの応答者に譲られることを示す。
【０２６９】
例７６は、例７５に記載の構成要件を含み、場合により、上記方法は、上記デュレーションフィールドの値を、上記ＴｘＯＰ内に残っている時間から上記許可フレームの送信時間とショートインターフレームスペース（ＳＩＦＳ）時間とを減算した結果に設定することを含む。
【０２７０】
例７７は、例７４に記載の構成要件を含み、場合により、上記方法は、上記割り当てデュレーションサブフィールドを上記所定の値範囲の範囲内の値に設定して、上記第１の無線局が上記割り当てデュレーションサブフィールドの値と上記デュレーションフィールドの値との和に基づく時間に上記第２の無線局と通信するためにアクセスを開始しようと試みることを示すことを含む。
【０２７１】
例７８は、例７４〜７７のうちいずれか１つに記載の構成要件を含み、場合により、上記方法は、コンテンションベースアクセス期間（ＣＢＡＰ）に上記許可フレームを送信することを含む。
【０２７２】
例７９は、例７４〜７８のうちいずれか１つに記載の構成要件を含み、場合により、上記所定の値は３２７６８である。
【０２７３】
例８０は、例７４〜７９のうちいずれか１つに記載の構成要件を含み、場合により、上記値範囲は０乃至３２７６７の範囲を含む。
【０２７４】
例８１は、例７４〜８０のうちいずれか１つに記載の構成要件を含み、場合により、上記第１の無線局はダイレクトマルチギガビット（ＤＭＧ）局（ＳＴＡ）である。
【０２７５】
例８２は、コンピュータ実行可能命令を含む１つ以上の有形コンピュータ読取可能非一時的記憶媒体を含む製品を含み、上記コンピュータ実行可能命令は、少なくとも１つのコンピュータプロセッサにより実行されるときに、上記少なくとも１つのコンピュータプロセッサが第１の無線局における方法を実施できるように動作可能であり、上記方法は、第２の無線局からの許可フレームの受信を処理することであって、上記許可フレームは、デュレーションフィールドと動的割り当て情報フィールドとを含み、上記動的割り当て情報フィールドは、割り当てデュレーションサブフィールドを含み、上記割り当てデュレーションサブフィールドは、上記許可フレームが送信機会（ＴｘＯＰ）の後の期間を許可するとき、所定の値範囲の範囲内の値に設定され、上記割り当てデュレーションサブフィールドは、上記許可フレームが上記ＴｘＯＰの範囲内の期間を許可するとき、上記所定の値範囲の範囲内でない所定の値に設定される、ことと、上記割り当てデュレーションサブフィールドに基づいて、上記ＴｘＯＰの後の期間に又は上記ＴｘＯＰの範囲内の期間に通信を処理することと、を含む。
【０２７６】
例８３は、例８２に記載の構成要件を含み、場合により、上記第１の無線局は、上記ＴｘＯＰの応答者として動作し、上記許可フレームは、上記所定の値に設定された上記割り当てデュレーションサブフィールドを含んで、上記ＴｘＯＰの残りがＴｘＯＰの保持者から上記ＴｘＯＰの応答者に譲られることを示す。
【０２７７】
例８４は、例８３に記載の構成要件を含み、場合により、上記デュレーションフィールドの値は、上記ＴｘＯＰ内に残っている時間から上記許可フレームの送信時間とショートインターフレームスペース（ＳＩＦＳ）時間とを減算した結果である。
【０２７８】
例８５は、例８２に記載の構成要件を含み、場合により、割り当てデュレーションサブフィールドが上記所定の値範囲の範囲内の値に設定されて、上記第２の無線局が上記割り当てデュレーションサブフィールドの値と上記デュレーションフィールドの値との和に基づく時間に上記第１の無線局と通信するためにアクセスを開始しようと試みることを示す。
【０２７９】
例８６は、例８２〜８５のうちいずれか１つに記載の構成要件を含み、場合により、上記方法は、コンテンションベースアクセス期間（ＣＢＡＰ）に上記許可フレームの受信を処理することを含む。
【０２８０】
例８７は、例８２〜８６のうちいずれか１つに記載の構成要件を含み、場合により、上記所定の値は３２７６８である。
【０２８１】
例８８は、例８２〜８７のうちいずれか１つに記載の構成要件を含み、場合により、上記値範囲は０乃至３２７６７の範囲を含む。
【０２８２】
例８９は、例８２〜８８のうちいずれか１つに記載の構成要件を含み、場合により、上記第１の無線局はダイレクトマルチギガビット（ＤＭＧ）局（ＳＴＡ）である。
【０２８３】
例９０は、コンピュータ実行可能命令を含む１つ以上の有形コンピュータ読取可能非一時的記憶媒体を含む製品を含み、上記コンピュータ実行可能命令は、少なくとも１つのコンピュータプロセッサにより実行されるときに、上記少なくとも１つのコンピュータプロセッサが第１の無線局における方法を実施できるように動作可能であり、上記方法は、デュレーションフィールドと動的割り当て情報フィールドとを含む許可フレームを生成することであって、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、ことと、上記ＳＰの間に上記許可フレームを送信することと、を含む。
【０２８４】
例９１は、例９０に記載の構成要件を含み、場合により、上記方法は、上記第１の無線局を上記ＳＰの送信元局として動作させることと、上記ＳＰの残りを上記送信元局から上記ＳＰの宛先局に譲ることとを含む。
【０２８５】
例９２は、例９０又は９１に記載の構成要件を含み、場合により、上記所定の値は３２７６８である。
【０２８６】
例９３は、例９０〜９２のうちいずれか１つに記載の構成要件を含み、場合により、上記第１の無線局はダイレクトマルチギガビット（ＤＭＧ）局（ＳＴＡ）である。
【０２８７】
例９４は、コンピュータ実行可能命令を含む１つ以上の有形コンピュータ読取可能非一時的記憶媒体を含む製品を含み、上記コンピュータ実行可能命令は、少なくとも１つのコンピュータプロセッサにより実行されるときに、上記少なくとも１つのコンピュータプロセッサが第１の無線局における方法を実施できるように動作可能であり、上記方法は、第２の無線局からの許可フレームの受信を処理することであって、上記許可フレームは、デュレーションフィールドと動的割り当て情報フィールドとを含み、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、ことと、上記ＳＰの残りについて、上記ＳＰの送信元局の役割を実行することと、を含む。
【０２８８】
例９５は、例９４に記載の構成要件を含み、場合により、上記所定の値は３２７６８である。
【０２８９】
例９６は、例９４又は９５に記載の構成要件を含み、場合により、上記第１の無線局はダイレクトマルチギガビット（ＤＭＧ）局（ＳＴＡ）である。
【０２９０】
例９７は、無線通信の装置を含み、当該装置は、第１の無線局において、デュレーションフィールドと動的割り当て情報フィールドとを含む許可フレームを生成する手段であって、上記動的割り当て情報フィールドは割り当てデュレーションサブフィールドを含み、上記割り当てデュレーションサブフィールドは、上記許可フレームが第２の無線局に送信機会（ＴｘＯＰ）の後の期間を許可するとき、所定の値範囲の範囲内の値に設定され、上記割り当てデュレーションサブフィールドは、上記許可フレームが上記第２の無線局に上記ＴｘＯＰの範囲内の期間を許可するとき、上記所定の値範囲の範囲内でない所定の値に設定される、手段と、上記ＴｘＯＰの間に上記許可フレームを送信する手段と、を含む。
【０２９１】
例９８は、例９７に記載の構成要件を含み、場合により、上記第１の無線局は、上記ＴｘＯＰの保持者として動作し、上記許可フレームは、上記所定の値に設定された上記割り当てデュレーションサブフィールドを含んで、上記ＴｘＯＰの残りが上記ＴｘＯＰの保持者からＴｘＯＰの応答者に譲られることを示す。
【０２９２】
例９９は、例９８に記載の構成要件を含み、場合により、上記デュレーションフィールドの値を、上記ＴｘＯＰ内に残っている時間から上記許可フレームの送信時間とショートインターフレームスペース（ＳＩＦＳ）時間とを減算した結果に設定する手段を含む。
【０２９３】
例１００は、例９７に記載の構成要件を含み、場合により、上記割り当てデュレーションサブフィールドを上記所定の値範囲の範囲内の値に設定して、上記第１の無線局が上記割り当てデュレーションサブフィールドの値と上記デュレーションフィールドの値との和に基づく時間に上記第２の無線局と通信するためにアクセスを開始しようと試みることを示す手段を含む。
【０２９４】
例１０１は、例９７〜１００のうちいずれか１つに記載の構成要件を含み、場合により、コンテンションベースアクセス期間（ＣＢＡＰ）に上記許可フレームを送信する手段を含む。
【０２９５】
例１０２は、例９７〜１０１のうちいずれか１つに記載の構成要件を含み、場合により、上記所定の値は３２７６８である。
【０２９６】
例１０３は、例９７〜１０２のうちいずれか１つに記載の構成要件を含み、場合により、上記値範囲は０乃至３２７６７の範囲を含む。
【０２９７】
例１０４は、例９７〜１０３のうちいずれか１つに記載の構成要件を含み、場合により、上記第１の無線局はダイレクトマルチギガビット（ＤＭＧ）局（ＳＴＡ）である。
【０２９８】
例１０５は、無線通信の装置を含み、当該装置は、第１の無線局において、第２の無線局からの許可フレームの受信を処理する手段であって、上記許可フレームは、デュレーションフィールドと動的割り当て情報フィールドとを含み、上記動的割り当て情報フィールドは、割り当てデュレーションサブフィールドを含み、上記割り当てデュレーションサブフィールドは、上記許可フレームが送信機会（ＴｘＯＰ）の後の期間を許可するとき、所定の値範囲の範囲内の値に設定され、上記割り当てデュレーションサブフィールドは、上記許可フレームが上記ＴｘＯＰの範囲内の期間を許可するとき、上記所定の値範囲の範囲内でない所定の値に設定される、手段と、上記割り当てデュレーションサブフィールドに基づいて、上記ＴｘＯＰの後の期間に又は上記ＴｘＯＰの範囲内の期間に通信を処理する手段と、を含む。
【０２９９】
例１０６は、例１０５に記載の構成要件を含み、場合により、上記第１の無線局は、上記ＴｘＯＰの応答者として動作し、上記許可フレームは、上記所定の値に設定された上記割り当てデュレーションサブフィールドを含んで、上記ＴｘＯＰの残りがＴｘＯＰの保持者から上記ＴｘＯＰの応答者に譲られることを示す。
【０３００】
例１０７は、例１０６に記載の構成要件を含み、場合により、上記デュレーションフィールドの値は、上記ＴｘＯＰ内に残っている時間から上記許可フレームの送信時間とショートインターフレームスペース（ＳＩＦＳ）時間とを減算した結果である。
【０３０１】
例１０８は、例１０５に記載の構成要件を含み、場合により、割り当てデュレーションサブフィールドが上記所定の値範囲の範囲内の値に設定されて、上記第２の無線局が上記割り当てデュレーションサブフィールドの値と上記デュレーションフィールドの値との和に基づく時間に上記第１の無線局と通信するためにアクセスを開始しようと試みることを示す。
【０３０２】
例１０９は、例１０５〜１０８のうちいずれか１つに記載の構成要件を含み、場合により、コンテンションベースアクセス期間（ＣＢＡＰ）に上記許可フレームの受信を処理する手段を含む。
【０３０３】
例１１０は、例１０５〜１０９のうちいずれか１つに記載の構成要件を含み、場合により、上記所定の値は３２７６８である。
【０３０４】
例１１１は、例１０５〜１１０のうちいずれか１つに記載の構成要件を含み、場合により、上記値範囲は０乃至３２７６７の範囲を含む。
【０３０５】
例１１２は、例１０５〜１１１のうちいずれか１つに記載の構成要件を含み、場合により、上記第１の無線局はダイレクトマルチギガビット（ＤＭＧ）局（ＳＴＡ）である。
【０３０６】
例１１３は、無線通信の装置を含み、当該装置は、第１の無線局において、デュレーションフィールドと動的割り当て情報フィールドとを含む許可フレームを生成する手段であって、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、手段と、上記ＳＰの間に上記許可フレームを送信する手段と、を含む。
【０３０７】
例１１４は、例１１３に記載の構成要件を含み、場合により、上記第１の無線局を上記ＳＰの送信元局として動作させる手段と、上記ＳＰの残りを上記送信元局から上記ＳＰの宛先局に譲る手段とを含む。
【０３０８】
例１１５は、例１１３又は１１４に記載の構成要件を含み、場合により、上記所定の値は３２７６８である。
【０３０９】
例１１６は、例１１３〜１１５のうちいずれか１つに記載の構成要件を含み、場合により、上記第１の無線局はダイレクトマルチギガビット（ＤＭＧ）局（ＳＴＡ）である。
【０３１０】
例１１７は、無線通信の装置を含み、当該装置は、第１の無線局において、第２の無線局からの許可フレームの受信を処理する手段であって、上記許可フレームは、デュレーションフィールドと動的割り当て情報フィールドとを含み、上記動的割り当て情報フィールドは、所定の値に設定された割り当てデュレーションサブフィールドを含み、上記デュレーションフィールドは、サービス期間（ＳＰ）内に残っている時間から上記許可フレームの送信時間とショートインターフレームスペース時間とを減算した結果に設定される、手段と、上記ＳＰの残りについて、上記ＳＰの送信元局の役割を実行する手段と、を含む。
【０３１１】
例１１８は、例１１７に記載の構成要件を含み、場合により、上記所定の値は３２７６８である。
【０３１２】
例１１９は、例１１７又は１１８に記載の構成要件を含み、場合により、上記第１の無線局はダイレクトマルチギガビット（ＤＭＧ）局（ＳＴＡ）である。
【０３１３】
本明細書において１つ以上の実施形態を参照して説明される機能、動作、コンポーネント、及び／又は特徴が、本明細書において１つ以上の他の実施形態を参照して説明される１つ以上の他の機能、動作、コンポーネント、及び／又は特徴と組み合わせられてもよく、あるいは該他の機能、動作、コンポーネント、及び／又は特徴との組み合わせで利用されてもよく、逆もまた同様である。
【０３１４】
特定の特徴が本明細書において例示され、説明されたが、多くの修正、代替、変更、及び均等物に当業者は気付き得る。したがって、別記の請求項は、本開示の真の主旨の範囲内に入るすべてのこうした修正及び変更をカバーするものであることが理解されるべきである。
【図１】
0006682531.tif 000002
【図２】
0006682531.tif 000003
【図３】
0006682531.tif 000004
【図４】
0006682531.tif 000005
【図５】
0006682531.tif 000006
【図６】
0006682531.tif 000007
【図７】
0006682531.tif 000008
【図８】
0006682531.tif 000009